(57)【特許請求の範囲】
【請求項１】
小型セル基地局において干渉を補償するための方法であって、
ワイヤレス通信ネットワークに関連付けられた近隣基地局からの制御信号を検出することと、前記制御信号が、あらかじめ決定された間隔で前記近隣基地局によって送信される、
前記あらかじめ決定された間隔中に、送信機が低減された送信電力で接続されたモバイルデバイスにデータを送信するように、前記小型セル基地局の送信電力レベルを低減することによって、制御信号が前記近隣基地局から受信される、前記あらかじめ決定された間隔中に、前記小型セル基地局の前記送信機が前記小型セル基地局に接続されたモバイルデバイスにデータを送信することによって引き起こされた自己誘導干渉を補償することとを備える方法。
【請求項２】
前記近隣基地局が、マクロセル基地局、ピコセル基地局、マイクロセル基地局、またはフェムトセル基地局を備える、請求項１に記載の方法。
【請求項３】
時間および周波数同期情報を、前記制御信号から導出することと、
前記時間および周波数同期情報に基づいて、前記小型セル基地局のタイミングと、前記小型セル基地局によって使用された周波数とを同期させることとをさらに備える、請求項１に記載の方法。
【請求項４】
前記近隣基地局が、前記小型セル基地局よりも正確な時間および周波数基準を有する基地局を備える、請求項２に記載の方法。
【請求項５】
前記小型セル基地局が、前記近隣基地局とは異なるダウンリンク周波数を使用して動作するように構成される、請求項１に記載の方法。
【請求項６】
複数の近隣基地局から信号を受信することと、
前記複数の近隣基地局から受信された前記信号に基づいて、前記複数の基地局から前記近隣基地局を選択することと、
前記選択された近隣基地局からの前記制御信号を検出することとをさらに備え、
前記複数の近隣基地局から受信された前記信号に基づいて、前記複数の基地局から前記近隣基地局を選択することが、１つまたは複数のランク付け基準に基づいて、前記近隣基地局をランク付けすることをさらに備え、
前記１つまたは複数のランク付け基準が、前記小型セル基地局において前記近隣基地局から受信された前記信号の信号強度、前記近隣基地局および前記小型セル基地局によって使用されたダウンリンク周波数の周波数分離、前記小型セル基地局において前記近隣基地局から受信された前記信号の信号品質、または前記近隣基地局によって広告されたストレータムレベルのうちの少なくとも１つを備える、請求項１に記載の方法。
【請求項７】
前記小型セル基地局の前記送信機によって引き起こされた前記自己誘導干渉を補償することが、
前記小型セル基地局の前記送信機によって送信されるべきデータに関連付けられた信号を監視することと、
前記送信されるべきデータに関連付けられた前記信号に基づいて、受信機についての自己誘導干渉推定値を決定することと、
前記自己誘導干渉推定値に基づいて、前記自己誘導干渉を補償することとをさらに備え、
前記自己誘導干渉推定値に基づいて、前記自己誘導干渉を補償することが、
前記受信機において前記自己誘導干渉を消去するために、前記自己誘導干渉推定値に基づいて、ベースバンド信号を生成することと、
前記小型セル基地局の受信機に、前記ベースバンド信号を与えることとをさらに備え、または、
前記自己誘導干渉推定値に基づいて、前記自己誘導干渉を補償することが、
前記受信機において前記自己誘導干渉を消去するために、前記自己誘導干渉推定値に基づいて、無線周波数信号を生成することと、
前記小型セル基地局の受信機に、前記無線周波数信号を与えることとをさらに備える、請求項１に記載の方法。
【請求項８】
前記小型セル基地局の前記送信機によって引き起こされた前記自己誘導干渉を補償することが、
前記小型セル基地局にアタッチされた少なくとも１つのモバイルデバイスを識別することと、
前記小型セル基地局にアタッチされた前記少なくとも１つのモバイルデバイスのいずれかが、前記小型セル基地局によって提供されたセルカバレージエリアのエッジの近くにあるか否かを決定することと、
前記小型セル基地局にアタッチされた前記少なくとも１つのモバイルデバイスのいずれもが、前記セルカバレージエリアの前記エッジの近くにない場合、制御信号が前記近隣基地局から受信される期間中に、それにおいて前記小型セル基地局を動作させるべき前記低減された送信電力レベルを決定することとをさらに備える、請求項１に記載の方法。
【請求項９】
制御信号が前記近隣基地局から受信される前記期間中に、前記低減された電力レベルで前記小型セル基地局送信機を動作させることをさらに備える、請求項８に記載の方法。
【請求項１０】
制御信号が前記近隣基地局から受信される前記期間中に、それにおいて前記小型セル基地局を動作させるべき前記低減された送信電力レベルを決定することが、
前記小型セル基地局からの前記少なくとも１つのモバイルデバイスの相対的距離を決定することと、
前記少なくとも１つのモバイルデバイスとの間の通信リンクの信号品質を決定することと、
前記少なくとも１つのモバイルデバイスに関連付けられたサービス品質（ＱｏＳ）情報にアクセスすることと、
前記相対的距離、前記信号品質、または前記ＱｏＳ情報のうちの少なくとも１つに基づいて、それにおいて前記小型セル基地局を動作させるべき前記低減された送信電力レベルを決定することとをさらに備える、請求項８に記載の方法。
【請求項１１】
前記小型セル基地局の前記送信機によって引き起こされた前記自己誘導干渉を補償することが、
前記制御信号が前記近隣基地局から受信される期間にわたってスケジュールされた前記小型セル基地局による送信が、前記制御信号が前記近隣基地局から受信される前記期間の外側で再スケジュールされ得るか否かを決定することと、
前記小型セル基地局による前記送信が再スケジュールされ得る場合、前記制御信号が前記近隣基地局から受信される前記期間の外側で発生するように、前記送信を再スケジュールすることとをさらに備える、請求項１に記載の方法。
【請求項１２】
前記制御信号が前記近隣基地局から受信される期間が経過すると、前記小型セル基地局の前記送信電力レベルを増加させることをさらに備え、
前記増加させることは、前記小型セル基地局が前記低減することより前に動作中であった送信電力レベルまで前記送信電力レベルを増加させることを備える、請求項１に記載の方法。
【請求項１３】
前記モバイルデバイスに関連付けられたサービス品質（ＱｏＳ）要件、前記小型セル基地局からの前記モバイルデバイスの各々の相対的距離、または、１つまたは複数の近隣基地局からの干渉のうちの少なくとも１つに基づいて前記低減された送信電力を決定することをさらに備える、請求項１に記載の方法。
【請求項１４】
小型セル基地局において干渉を補償するための装置であって、
ワイヤレス通信ネットワークに関連付けられた近隣基地局からの制御信号を検出するための手段と、前記制御信号が、あらかじめ決定された間隔で前記近隣基地局によって送信される、
前記あらかじめ決定された間隔中に、送信機が低減された送信電力で接続されたモバイルデバイスにデータを送信するように、前記小型セル基地局の送信電力レベルを低減することによって、制御信号が前記近隣基地局から受信される、前記あらかじめ決定された間隔中に、前記小型セル基地局の前記送信機が前記小型セル基地局に接続されたモバイルデバイスにデータを送信することによって引き起こされた自己誘導干渉を補償するための手段とを備える装置。
【請求項１５】
請求項１から１３のいずれか一項に記載の方法をコンピュータに実行させるように構成された命令を備える、小型セル基地局において干渉を補償するためのコンピュータ可読命令を記憶した非一時的コンピュータ可読記憶媒体。
【発明の詳細な説明】
【技術分野】
【０００１】
関連出願の相互参照
[0001]本出願は、本出願の譲受人に譲渡され、参照により明白に本明細書に組み込まれる、２０１３年８月１２日に出願された「ＡＶＯＩＤＩＮＧ  ＳＵＳＰＥＮＤＥＤ  ＴＲＡＮＳＭＩＳＳＩＯＮ  ＤＵＲＩＮＧ  ＮＥＴＷＯＲＫ  ＬＩＳＴＥＮ  ＦＯＲ  ＳＭＡＬＬ  ＣＥＬＬ  ＢＡＳＥ  ＳＴＡＴＩＯＮＳ」と題する米国特許出願第１３／９６４，９００号の利益を主張する。
【背景技術】
【０００２】
[0002]フェムトセルおよび他のタイプの小型セル基地局は、ユーザの自宅またはオフィスにインストールされ得る小型基地局を提供することによって、ネットワークプロバイダのネットワークのカバレージを拡張するために使用され得る。フェムトセルは、音声およびデータサービスに対する需要が増すにつれて、マクロネットワークの容量問題を解決する助けとなり得る。
【０００３】
[0003]フェムトセルおよび他のタイプの小型セル基地局は、ネットワークリッスン（ＮＬ）モジュールが、小型セル基地局が位置するカバレージエリアを有する近隣基地局からのダウンリンク制御信号を検出することを可能にする、いくつかの移動局のような能力を含む、ＮＬモジュールを含み得る。ＮＬモジュールは、近隣基地局からオーバージエア（ＯＴＡ）信号を受信するように構成され得る。ＮＬモジュールは、ＮＬモジュールを含む基地局に近接した１つまたは複数のネットワークから関連情報を取得するために、近隣基地局によって送信されたＯＴＡ信号をリッスンおよび復号するように構成され得る。ＮＬモジュールは、限定はされないが、（ａ）ネイバーリストを構築すること、近隣セルとの物理セル識別情報（ＰＣＩ）衝突を回避するためのＰＣＩ選択など、自己組織化ネットワーク（ＳＯＮ）関係の適用例と、（ｂ）近隣基地局のセルグローバル識別情報（ＣＧＩ：cell global identity）を使用する、近似ロケーション決定と、（ｃ）時間および周波数同期と、（ｄ）干渉管理とを含む適用例を、基地局が実行することを可能にするように構成され得る。小型セル基地局のＮＬモジュールは、近隣基地局からのＯＴＡ信号をリッスンするように構成されてよく、マクロセル基地局、またはさらに別の小型セル基地局など、近隣基地局からのこれらの信号を使用するように構成されてよい。
【０００４】
[0004]時間および周波数同期に関して、ＮＬリッスンモジュールは、小型セル基地局が、小型セル基地局においてタイミングおよび／または周波数同期を補正することを可能にすることができる。いくつかの従来の基地局は、同期ストレータムと呼ばれる、相対的なランク付けに関して、基地局の同期能力を広告するように構成される。ＮＬモジュールを含む小型セル基地局は、近隣基地局によって広告された同期能力情報に基づいて、近隣基地局が小型セル基地局よりも厳密な同期能力を有するか否かを決定することができる。基地局がより緩い同期精度を有することを暗示する、より低いストレータムレベルを有する基地局は、より高いストレータムレベルと、したがって、より厳密な同期精度とを広告する基地局からの制御信号をリッスンするように構成され得る。小型セル基地局のＮＬモジュールは、したがって、より高いストレータムレベルを広告する近隣基地局を選択するように構成され得る。たとえば、小型セル基地局は、そこから小型セル基地局が、そこから小型セル基地局が同期情報を取得することができる、近隣ピコセルと、近隣マクロセル基地局と、近隣フェムトセルとを有することがある。マクロセル基地局およびピコセルは、典型的にフェムトセルよりも厳密な同期要件を有し、フェムトセルよりも高い同期ストレータムレベルを広告し、それに関連付けられ得る。しかしながら、いくつかのフェムトセル実装形態では、より高い同期レベルを有し得る。たとえば、いくつかのフェムトセルは、全地球測位システム（ＧＰＳ）を含むグローバルナビゲーション衛星システム（ＧＮＳＳ）など、信頼できる外部ソースから、または、高精度タイミングプロトコル（ＰＴＰ：Precision Timing Protocol）を使用するネットワークサーバから、同期を導出するように構成され得る。したがって、フェムトセル（または、他の小型セル基地局）は、高いストレータムレベルに関連付けられ得る。
【発明の概要】
【０００５】
[0005]本開示による、小型セル基地局において干渉を補償するための例示的な方法は、ワイヤレス通信ネットワークに関連付けられた近隣基地局からの制御信号を検出することと、制御信号が、あらかじめ決定された間隔で近隣基地局によって送信される、制御信号が近隣基地局から受信され、小型セル基地局の送信機がデータを送信中である、あらかじめ決定された間隔中に、小型セル基地局の送信機が送信することによって引き起こされた自己誘導干渉（self-induced interference）を補償することとを含む。
【０００６】
[0006]そのような方法の実装形態は、以下の特徴のうちの１つまたは複数を含み得る。近隣基地局は、マクロセル基地局、ピコセル基地局、マイクロセル基地局、またはフェムトセル基地局を備える。近隣基地局は、小型セル基地局よりも正確な時間および周波数基準を有する基地局を備える。小型セル基地局は、近隣基地局とは異なるダウンリンク周波数を使用して動作するように構成され得る。複数の近隣基地局から信号を受信することと、複数の近隣基地局から受信された信号に基づいて、複数の基地局から近隣基地局を選択することと、選択された近隣基地局からの制御信号を検出すること。複数の近隣基地局から受信された信号に基づいて、複数の基地局から近隣基地局を選択することは、１つまたは複数のランク付け基準に基づいて、近隣基地局をランク付けすることをさらに含む。１つまたは複数のランク付け基準は、小型セル基地局において近隣基地局から受信された信号の信号強度と、近隣基地局および小型セル基地局によって使用されたダウンリンク周波数の周波数分離と、小型セル基地局において近隣基地局から受信された信号の信号品質と、近隣基地局によって広告されたストレータムレベルとのうちの少なくとも１つを含む。小型セル基地局の送信機によって引き起こされた自己誘導干渉を補償することは、小型セル基地局の送信機によって送信されるべきデータに関連付けられた信号を監視することと、送信されるべきデータに関連付けられた信号に基づいて、受信機についての自己誘導干渉推定値を決定することと、自己誘導干渉推定値に基づいて、自己誘導干渉を補償することとをさらに含む。自己誘導干渉推定値に基づいて、自己誘導干渉を補償することは、受信機において自己誘導干渉を消去するために、自己誘導干渉推定値に基づいて、ベースバンド信号を生成することと、小型セル基地局の受信機に、ベースバンド信号を与えることとをさらに含む。自己誘導干渉推定値に基づいて、自己誘導干渉を補償することは、受信機において自己誘導干渉を消去するために、自己誘導干渉推定値に基づいて、無線周波数信号を生成することと、小型セル基地局の受信機に、無線周波数信号を与えることとを含む。小型セル基地局の送信機によって引き起こされた自己誘導干渉を補償することは、小型セル基地局にアタッチされた少なくとも１つのモバイルデバイスを識別することと、小型セル基地局にアタッチされた少なくとも１つのモバイルデバイスのいずれかが、小型セル基地局によって提供されたセルカバレージエリアのエッジの近くにあるか否かを決定することと、小型セル基地局にアタッチされた少なくとも１つのモバイルデバイスのいずれもが、セルカバレージエリアのエッジの近くにない場合、制御信号がマクロセルから受信される期間中に、それにおいて小型セル基地局を動作させるべき低減された送信電力レベルを決定することとをさらに備える。制御信号がマクロセルから受信される期間中に、低減された電力レベルで小型セル基地局送信機を動作させること。制御信号がマクロセルから受信される期間中に、それにおいて小型セル基地局を動作させるべき低減された送信電力レベルを決定することは、小型セル基地局からの少なくとも１つのモバイルデバイスの相対的距離を決定することと、少なくとも１つのモバイルデバイスとの間の通信リンクの信号品質を決定することと、少なくとも１つのモバイルデバイスに関連付けられたサービス品質（ＱｏＳ）情報にアクセスすることと、相対的距離、信号品質、およびＱｏＳ情報のうちの少なくとも１つに基づいて、それにおいて小型セル基地局を動作させるべき低減された送信電力レベルを決定することとをさらに含む。小型セル基地局の送信機によって引き起こされた自己誘導干渉を補償することは、制御信号がマクロセルから受信される期間にわたってスケジュールされた小型セル基地局による送信が、制御信号がマクロセルから受信される期間の外側で再スケジュールされ得るか否かを決定することと、小型セル基地局による送信が再スケジュールされ得る場合、制御信号がマクロセルから受信される期間の外側で発生するように、送信を再スケジュールすることとをさらに含む。時間および周波数同期情報を、制御信号から導出することと、時間および周波数同期情報に基づいて、時間および周波数同期情報に基づいて、小型セル基地局のタイミングと、小型セル基地局によって使用された周波数とを同期させること。
【０００７】
[0007]本開示による、小型セル基地局において干渉を補償するための例示的な装置は、ワイヤレス通信ネットワークに関連付けられた近隣基地局からの制御信号を検出するための手段と、制御信号が、あらかじめ決定された間隔で近隣基地局によって送信される、制御信号が近隣基地局から受信され、小型セル基地局の送信機がデータを送信中である、あらかじめ決定された間隔中に、小型セル基地局の送信機が送信することによって引き起こされた自己誘導干渉を補償するための手段とを含む。
【０００８】
[0008]そのような装置の実装形態は、以下の特徴のうちの１つまたは複数を含み得る。近隣基地局は、マクロセル基地局、ピコセル基地局、マイクロセル基地局、またはフェムトセル基地局を備える。近隣基地局は、小型セル基地局よりも正確な時間および周波数基準を有する基地局を備える。小型セル基地局は、近隣基地局とは異なるダウンリンク周波数を使用して動作するように構成され得る。複数の近隣基地局から信号を受信するための手段と、複数の近隣基地局から受信された信号に基づいて、複数の基地局から近隣基地局を選択するための手段と、選択された近隣基地局からの制御信号を検出するための手段。複数の近隣基地局から受信された信号に基づいて、複数の基地局から近隣基地局を選択するための手段は、１つまたは複数のランク付け基準に基づいて、近隣基地局をランク付けするための手段をさらに含む。１つまたは複数のランク付け基準は、小型セル基地局において近隣基地局から受信された信号の信号強度と、近隣基地局および小型セル基地局によって使用されたダウンリンク周波数の周波数分離と、小型セル基地局において近隣基地局から受信された信号の信号品質と、近隣基地局によって広告されたストレータムレベルとのうちの少なくとも１つを含む。小型セル基地局の送信機によって引き起こされた自己誘導干渉を補償するための手段は、小型セル基地局の送信機によって送信されるべきデータに関連付けられた信号を監視するための手段と、送信されるべきデータに関連付けられた信号に基づいて、受信機についての自己誘導干渉推定値を決定するための手段と、自己誘導干渉推定値に基づいて、自己誘導干渉を補償するための手段とを含む。自己誘導干渉推定値に基づいて、自己誘導干渉を補償するための手段は、受信機において自己誘導干渉を消去するために、自己誘導干渉推定値に基づいて、ベースバンド信号を生成するための手段と、小型セル基地局の受信機に、ベースバンド信号を与えるための手段とを含む。自己誘導干渉推定値に基づいて、自己誘導干渉を補償するための手段は、受信機において自己誘導干渉を消去するために、自己誘導干渉推定値に基づいて、無線周波数信号を生成するための手段と、小型セル基地局の受信機に、無線周波数信号を与えるための手段とをさらに含む。補償するための手段は、小型セル基地局にアタッチされた少なくとも１つのモバイルデバイスを識別するための手段と、小型セル基地局にアタッチされた少なくとも１つのモバイルデバイスのいずれかが、小型セル基地局によって提供されたセルカバレージエリアのエッジの近くにあるか否かを決定するための手段と、小型セル基地局にアタッチされた少なくとも１つのモバイルデバイスのいずれもが、セルカバレージエリアのエッジの近くにない場合、制御信号がマクロセルから受信される期間中に、それにおいて小型セル基地局を動作させるべき低減された送信電力レベルを決定するための手段とを含む。補償するための手段は、制御信号がマクロセルから受信される期間中に、低減された電力レベルで小型セル基地局送信機を動作させるための手段を含む。低減された送信電力レベルを決定するための手段は、小型セル基地局からの少なくとも１つのモバイルデバイスの相対的距離を決定するための手段と、少なくとも１つのモバイルデバイスとの間の通信リンクの信号品質を決定するための手段と、少なくとも１つのモバイルデバイスに関連付けられたサービス品質（ＱｏＳ）情報にアクセスするための手段と、相対的距離、信号品質、およびＱｏＳ情報のうちの少なくとも１つに基づいて、それにおいて小型セル基地局を動作させるべき低減された送信電力レベルを決定するための手段とを含む。小型セル基地局の送信機によって引き起こされた自己誘導干渉を補償するための手段は、制御信号がマクロセルから受信される期間にわたってスケジュールされた小型セル基地局による送信が、制御信号がマクロセルから受信される期間の外側で再スケジュールされ得るか否かを決定するための手段と、小型セル基地局による送信が再スケジュールされ得る場合、制御信号がマクロセルから受信される期間の外側で発生するように、送信を再スケジュールするための手段とを含む。時間および周波数同期情報を、制御信号から導出するための手段と、時間および周波数同期情報に基づいて、時間および周波数同期情報に基づいて、小型セル基地局のタイミングと、小型セル基地局によって使用された周波数とを同期させるための手段。
【０００９】
[0009]本開示による、小型セル基地局において干渉を補償するためのコンピュータ可読命令を記憶した、例示的な非一時的コンピュータ可読媒体は、ワイヤレス通信ネットワークに関連付けられた近隣基地局からの制御信号を検出することと、制御信号が、あらかじめ決定された間隔で近隣基地局によって送信される、制御信号が近隣基地局から受信され、小型セル基地局の送信機がデータを送信中である、あらかじめ決定された間隔中に、小型セル基地局の送信機が送信することによって引き起こされた自己誘導干渉を補償することとを、コンピュータに行わせるように構成された命令を含む。
【００１０】
[0010]そのような非一時的コンピュータ可読媒体の実装形態は、以下の特徴のうちの１つまたは複数を含み得る。近隣基地局は、マクロセル基地局、ピコセル基地局、マイクロセル基地局、またはフェムトセル基地局を備える。近隣基地局は、小型セル基地局よりも正確な時間および周波数基準を有する基地局を備える。小型セル基地局は、近隣基地局とは異なるダウンリンク周波数を使用して動作するように構成され得る。複数の近隣基地局から信号を受信することと、複数の近隣基地局から受信された信号に基づいて、複数の基地局から近隣基地局を選択することと、選択された近隣基地局からの制御信号を検出することとを、コンピュータに行わせるように構成された命令。複数の近隣基地局から受信された信号に基づいて、複数の基地局から近隣基地局を選択することを、コンピュータに行わせるように構成された命令は、１つまたは複数のランク付け基準に基づいて、近隣基地局をランク付けすることを、コンピュータに行わせるように構成された命令をさらに含む。１つまたは複数のランク付け基準は、小型セル基地局において近隣基地局から受信された信号の信号強度と、近隣基地局および小型セル基地局によって使用されたダウンリンク周波数の周波数分離と、小型セル基地局において近隣基地局から受信された信号の信号品質と、近隣基地局によって広告されたストレータムレベルとのうちの少なくとも１つを備える。自己誘導干渉を補償することを、コンピュータに行わせるように構成された命令は、小型セル基地局の送信機によって送信されるべきデータに関連付けられた信号を監視することと、送信されるべきデータに関連付けられた信号に基づいて、受信機についての自己誘導干渉推定値を決定することと、自己誘導干渉推定値に基づいて、自己誘導干渉を補償することとを、コンピュータに行わせるように構成された命令を含む。自己誘導干渉推定値に基づいて、自己誘導干渉を補償することを、コンピュータに行わせるように構成された命令は、受信機において自己誘導干渉を消去するために、自己誘導干渉推定値に基づいて、ベースバンド信号を生成することと、小型セル基地局の受信機に、ベースバンド信号を与えることとを、コンピュータに行わせるように構成された命令を含む。自己誘導干渉推定値に基づいて、自己誘導干渉を補償することを、コンピュータに行わせるように構成された命令は、受信機において自己誘導干渉を消去するために、自己誘導干渉推定値に基づいて、無線周波数信号を生成することと、小型セル基地局の受信機に、無線周波数信号を与えることとを、コンピュータに行わせるように構成された命令をさらに含む。自己誘導干渉を補償することを、コンピュータに行わせるように構成された命令は、小型セル基地局にアタッチされた少なくとも１つのモバイルデバイスを識別することと、小型セル基地局にアタッチされた少なくとも１つのモバイルデバイスのいずれかが、小型セル基地局によって提供されたセルカバレージエリアのエッジの近くにあるか否かを決定することと、小型セル基地局にアタッチされた少なくとも１つのモバイルデバイスのいずれもが、セルカバレージエリアのエッジの近くにない場合、制御信号がマクロセルから受信される期間中に、それにおいて小型セル基地局を動作させるべき低減された送信電力レベルを決定することとを、コンピュータに行わせるように構成された命令を含む。制御信号がマクロセルから受信される期間中に、低減された電力レベルで小型セル基地局送信機を動作させることを、コンピュータに行わせるように構成された命令。低減された送信電力レベルを決定することを、コンピュータに行わせるように構成された命令は、小型セル基地局からの少なくとも１つのモバイルデバイスの相対的距離を決定することと、少なくとも１つのモバイルデバイスとの間の通信リンクの信号品質を決定することと、少なくとも１つのモバイルデバイスに関連付けられたサービス品質（ＱｏＳ）情報にアクセスすることと、相対的距離、信号品質、およびＱｏＳ情報のうちの少なくとも１つに基づいて、それにおいて小型セル基地局を動作させるべき低減された送信電力レベルを決定することとを、コンピュータに行わせるように構成された命令を含む。小型セル基地局の送信機によって引き起こされた自己誘導干渉を補償することを、コンピュータに行わせるように構成された命令は、制御信号がマクロセルから受信される期間にわたってスケジュールされた小型セル基地局による送信が、制御信号がマクロセルから受信される期間の外側で再スケジュールされ得るか否かを決定することと、小型セル基地局による送信が再スケジュールされ得る場合、制御信号がマクロセルから受信される期間の外側で発生するように、送信を再スケジュールすることとを、コンピュータに行わせるように構成された命令を含む。時間および周波数同期情報を、制御信号から導出することと、時間および周波数同期情報に基づいて、時間および周波数同期情報に基づいて、小型セル基地局のタイミングと、小型セル基地局によって使用された周波数とを同期させることとを、コンピュータに行わせるように構成された命令。
【００１１】
[0011]本開示による、小型セル基地局において干渉を補償するための例示的な装置は、有形の非一時的コンピュータ可読メモリと、メモリに記憶されたプロセッサ実行可能コードを備える複数のモジュールと、メモリに接続され、メモリに記憶された複数のモジュールにアクセスするように構成されるプロセッサとを含む。装置は、ワイヤレス通信ネットワークに関連付けられた近隣基地局からの制御信号を検出することと、制御信号が、あらかじめ決定された間隔で近隣基地局によって送信される、制御信号が近隣基地局から受信され、小型セル基地局の送信機がデータを送信中である、あらかじめ決定された間隔中に、小型セル基地局の送信機が送信することによって引き起こされた自己誘導干渉を補償することとを行うように構成された、ネットワークリッスンモジュールを含む。
【００１２】
[0012]そのような装置の実装形態は、以下の特徴のうちの１つまたは複数を含み得る。近隣基地局は、マクロセル基地局、ピコセル基地局、マイクロセル基地局、またはフェムトセル基地局を備える。近隣基地局は、小型セル基地局よりも正確な時間および周波数基準を有する基地局を備える。小型セル基地局は、近隣基地局とは異なるダウンリンク周波数を使用して動作するように構成される。ネットワークリッスンモジュールは、複数の近隣基地局から信号を受信することと、複数の近隣基地局から受信された信号に基づいて、複数の基地局から近隣基地局を選択することと、選択された近隣基地局からの制御信号を検出することとを行うように構成される。複数の近隣基地局から受信された信号に基づいて、複数の基地局から近隣基地局を選択することを行うように構成される、プロセッサは、１つまたは複数のランク付け基準に基づいて、近隣基地局をランク付けすることを行うようにさらに構成される。１つまたは複数のランク付け基準は、小型セル基地局において近隣基地局から受信された信号の信号強度と、近隣基地局および小型セル基地局によって使用されたダウンリンク周波数の周波数分離と、小型セル基地局において近隣基地局から受信された信号の信号品質と、近隣基地局によって広告されたストレータムレベルとのうちの少なくとも１つを備える。小型セル基地局の送信機によって送信されるべきデータに関連付けられた信号を監視することと、送信されるべきデータに関連付けられた信号に基づいて、受信機についての自己誘導干渉推定値を決定することと、自己誘導干渉推定値に基づいて、自己誘導干渉を補償することとを行うように構成された、干渉補償モジュール。自己誘導干渉推定値に基づいて、自己誘導干渉を補償することを行うように構成される、干渉補償モジュールは、受信機において自己誘導干渉を消去するために、自己誘導干渉推定値に基づいて、ベースバンド信号を生成することと、小型セル基地局の受信機に、ベースバンド信号を与えることとを行うように構成される。自己誘導干渉推定値に基づいて、自己誘導干渉を補償することを行うように構成される、干渉補償モジュールは、受信機において自己誘導干渉を消去するために、自己誘導干渉推定値に基づいて、無線周波数信号を生成することと、小型セル基地局の受信機に、無線周波数信号を与えることとを、コンピュータに行わせるように構成された命令をさらに備える。小型セル基地局にアタッチされた少なくとも１つのモバイルデバイスを識別することと、小型セル基地局にアタッチされた少なくとも１つのモバイルデバイスのいずれかが、小型セル基地局によって提供されたセルカバレージエリアのエッジの近くにあるか否かを決定することと、小型セル基地局にアタッチされた少なくとも１つのモバイルデバイスのいずれもが、セルカバレージエリアのエッジの近くにない場合、制御信号がマクロセルから受信される期間中に、それにおいて小型セル基地局を動作させるべき低減された送信電力レベルを決定することとを行うように構成された、電力制御モジュール。電力制御モジュールは、制御信号がマクロセルから受信される期間中に、低減された電力レベルで小型セル基地局送信機を動作させることを行うようにさらに構成される。低減された送信電力レベルを決定することを行うように構成される、電力制御モジュールは、小型セル基地局からの少なくとも１つのモバイルデバイスの相対的距離を決定することと、少なくとも１つのモバイルデバイスとの間の通信リンクの信号品質を決定することと、少なくとも１つのモバイルデバイスに関連付けられたサービス品質（ＱｏＳ）情報にアクセスすることと、相対的距離、信号品質、およびＱｏＳ情報のうちの少なくとも１つに基づいて、それにおいて小型セル基地局を動作させるべき低減された送信電力レベルを決定することとを行うようにさらに構成される。制御信号がマクロセルから受信される期間にわたってスケジュールされた小型セル基地局による送信が、制御信号がマクロセルから受信される期間の外側で再スケジュールされ得るか否かを決定することと、小型セル基地局による送信が再スケジュールされ得る場合、制御信号がマクロセルから受信される期間の外側で発生するように、送信を再スケジュールすることとを行うように構成された、スケジューリングモジュール。ネットワークリッスンモジュールは、時間および周波数同期情報を、制御信号から導出することと、時間および周波数同期情報に基づいて、時間および周波数同期情報に基づいて、小型セル基地局のタイミングと、小型セル基地局によって使用された周波数とを同期させることとを行うように構成される。
【図面の簡単な説明】
【００１３】
【図１】[0013]本明細書で開示される技法が実装され得る例示的なネットワークアーキテクチャのブロック図。
【図２】[0014]アップリンクデータ接続とダウンリンクデータ接続とを示す、図１で示された例示的なネットワークの一部分のブロック図。
【図３】[0015]前述の図に示されたモバイルデバイスを実装するために使用され得る、モバイルデバイスのブロック図。
【図４】[0016]前述の図に示された小型セル基地局を実装するために使用され得る、小型セル基地局のブロック図。
【図５】[0017]図４に示されたメモリの機能モジュールを示す、図４に示された小型セル基地局の機能ブロック図。
【図６】[0018]本明細書で開示される技法を実装するために使用され得る、自己誘導干渉を補償するための例示的なプロセスの流れ図。
【図７】[0019]本明細書で開示される技法を実装するために使用され得る、自己誘導干渉消去のための例示的なプロセスの流れ図。
【図８】[0020]本明細書で開示される技法を実装するために使用され得る、周波数分離のための例示的なプロセスの流れ図。
【図９】[0021]本明細書で開示される技法を実装するために使用され得る、送信機電力低減のための例示的なプロセスの流れ図。
【図１０】[0022]図９に示されたプロセスを実装するために使用され得る、送信機のための低減された電力レベルを決定するための例示的なプロセスの流れ図。
【図１１】[0023]本明細書で開示される技法を実装するために使用され得る、送信スケジューリングのための例示的なプロセスの流れ図。
【図１２】[0024]制御信号をリッスンするための近隣基地局を選択するための例示的なプロセスの流れ図。
【発明を実施するための形態】
【００１４】
[0025]小型セル基地局の受信機に干渉する小型セル基地局の送信機によって引き起こされた自己誘導干渉を補償するための技法が、本明細書で開示される。これらの技法は、特に、小型セル基地局の受信機が近隣基地局からの制御信号または他のデータをリッスンするように構成される期間中に、自己誘導干渉を補償するために使用され得る。たとえば、本明細書で開示される技法は、フェムトセルまたは他の小型セル基地局が近隣基地局からの帯域内制御信号をリッスンするように構成される、ネットワークリッスン期間中に適用され得る。上記で説明されたように、これらのＯＴＡ信号は、（ａ）ネイバーリストを構築すること、近隣セルとの物理セル識別情報（ＰＣＩ）衝突を回避するためのＰＣＩ選択など、自己組織化ネットワーク（ＳＯＮ）関係の適用例、（ｂ）近隣基地局のセルグローバル識別情報（ＣＧＩ）を使用する、近似ロケーション決定、（ｃ）時間および周波数同期、ならびに（ｄ）干渉管理など、様々な適用例を実施するために、小型セル基地局によって使用され得る。本明細書で開示される技法は、フェムトセルまたは他の小型セル基地局が、小型セル基地局がそのような制御信号をリッスンするように構成される期間中に、小型セル基地局に接続された１つまたは複数のモバイルデバイスへのダウンリンク送信を継続することを可能にする。従来のフェムトセルおよび小型セル基地局では、フェムトセルまたは他の小型セル基地局の送信機による送信は、典型的には、小型セルが近隣基地局から制御信号または他のデータを受信することを期待しているネットワークリッスン期間または他の期間中に、無効にされることになる。しかしながら、小型セル基地局がマクロセル基地局から制御信号または他のデータを受信することを期待しているネットワークリッスン期間または他の同様の期間中に、ダウンリンク送信を無効にすることは、小型セル基地局に接続されたモバイルデバイスへのサービスを中断させることがある。本明細書で開示される技法は、小型セル基地局の送信機によって引き起こされる自己誘導干渉を低減、および／または実質的に除去するために使用され、それによって、小型セル基地局の送信機および受信機が、並行して動作することと、小型セル基地局に接続されたモバイルデバイスに提供されたサービスへの中断を引き起こすことを回避することとを可能にすることができる。
【００１５】
例示的なネットワーク環境
[0026]図１は、本明細書で説明される技法を実装するために好適であり得る、例示的なネットワークアーキテクチャのブロック図である。ネットワークアーキテクチャは、モバイルデバイス１２０と、小型セル基地局１１５と、近隣基地局１４０と、ネットワーク１１０とを含む。
【００１６】
[0027]モバイルデバイス１２０は、ユーザ機器（ＵＥ）、移動局、端末、アクセス端末、加入者ユニット、局などと呼ばれることもある。モバイルデバイス１２０は、ロングタームエボリューション（ＬＴＥ（登録商標））ワイヤレス通信プロトコル、ＷｉＦｉ（登録商標）、およびＷｉＭＡＸ（登録商標）など、１つまたは複数のワイヤレス通信プロトコルを使用して通信するように構成される、スマートフォン、タブレットコンピュータ、ラップトップコンピュータ、または他のデバイスであり得る。モバイルデバイス１２０はまた、他のタイプのワイヤレス通信プロトコルをサポートするように構成されてもよく、複数の異なるワイヤレス通信プロトコルをサポートして、モバイルデバイス１２０が、異なる周波数範囲および／またはワイヤレス通信プロトコルを使用して動作する近隣基地局１４０など、近隣基地局に接続することを可能にするように構成されてよい。
【００１７】
[0028]モバイルデバイス１２０はまた、米国の全地球測位システム（ＧＰＳ）、欧州のガリレオシステム、ロシアのＧＬＯＮＡＳＳシステム、および／または何らかの他のグローバルナビゲーション衛星システム（ＧＮＳＳ）であり得る、１つまたは複数のＧＮＳＳの送信機から、信号を受信するように構成された１つまたは複数の受信機を含み得る。モバイルデバイス１２０は、ＧＮＳＳ送信機からの信号を使用して、モバイルデバイス１２０の位置を決定するように構成され得、および／または、モバイルデバイス１２０のロケーションを決定するように、もしくは、モバイルデバイス１２０がモバイルデバイス１２０の位置を決定するために使用することができる支援データを提供するように構成される、ロケーションサーバ（図示せず）へ信号情報を送るように構成され得る。ＧＮＳＳ送信機は、モバイルデバイス１２０の位置を決定するために使用され得る信号を提供する、衛星、地上放送局、スードライト、および他のタイプの送信機を備え得る。
【００１８】
[0029]小型セル基地局１１５は、フェムトセル、ピコセル、マイクロセル、または他のタイプの小型セル基地局１１５を備え得る。小型セル基地局１１５は、モバイルデバイス１２０など、１つまたは複数のモバイルデバイスにワイヤレスネットワーク接続性を提供するように構成され得る。小型セル基地局１１５は、モバイル通信ネットワークプロバイダに関連付けられ得、ネットワーク１１０を介して、モバイル通信ネットワークプロバイダのネットワーク（図示せず）と通信するように構成され得る。小型セル基地局１１５のカバレージエリアは、近隣基地局１４０など、１つまたは複数の基地局のカバレージエリアと重複し得る。小型セル基地局１１５は、ネットワーク１１０にブロードバンド接続を提供するバックホール接続を介して、ネットワーク１１０に接続され得る。ネットワーク１１０は、インターネット、および／または１つもしくは複数のネットワークの組合せであり得る。たとえば、小型セル基地局１１５は、その特定の実装形態において使用されているブロードバンドサービスのタイプに応じて、ＤＳＬモデムまたはケーブルモデムに接続され得る。
【００１９】
[0030]本明細書で使用される「小型セル基地局」という用語は、従来のマクロセル基地局よりも小型のフットプリントを有する無線アクセスノードについて説明するものである。本明細書で説明される技法を実装するために使用され得る、小型セル基地局のいくつかの例は、フェムトセル、ピコセル、およびマイクロセルを含む。様々なタイプの小型セルは、しばしば、小型セルが提供するカバレージエリアのサイズによって分類される。たとえば、マイクロセルは、マイクロセルから最大数キロメートルのカバレージエリアを提供することがあり、ピコセルは、ピコセルから最大数百メートルの範囲を有するカバレージエリアを提供することがあり、フェムトセルは、フェムトセルから最大数十メートルの範囲を有するカバレージエリアを提供することがある。ただし、小型セルによって提供されるカバレージエリアのサイズは多少重複することがあり、異なる実装形態において変動することがあるので、この区別は常に明確であるとは限らない。さらに、トポグラフィおよび人工建造物などの環境要因もまた、特定の小型セル基地局によって提供されるカバレージエリアのサイズに影響を及ぼすことがある。
【００２０】
[0031]近隣基地局１４０は、複数のモバイルデバイス１２０にワイヤレスネットワーク接続性を提供するように構成され得る。近隣基地局１４０は、マクロセル基地局を備えてよく、または、マイクロセル、ピコセル、もしくはフェムトセルなど、同様の小型セル基地局を備えてよい。近隣基地局１４０は、小型セル基地局１１５よりもはるかに大きいカバレージエリアを有してよく、または、同様のサイズ、もしくはカバレージよりも小さいサイズであるカバレージエリアを提供する小型セル基地局であってよく、小型セル基地局１１５によって提供される。近隣基地局１４０は、１つまたは複数のワイヤレス通信プロトコルを使用して通信するように構成され得る。図１に示された例は、単一の近隣基地局１４０を含むが、他の実装形態では、小型セル基地局１１５は、複数の近隣基地局１４０のカバレージエリア内に入ることがある。
【００２１】
[0032]近隣基地局１４０と同じネットワークサービスプロバイダに関連付けられた小型セル基地局１１５または他の小型セル基地局は、近隣基地局１４０と同じワイヤレス通信プロトコルのセットをサポートするように構成され得る。たとえば、近隣基地局１４０が、ロングタームエボリューション（ＬＴＥ）ワイヤレス通信プロトコルをサポートするように構成される場合、同じネットワークプロバイダに関連付けられたフェムトセル１１５および他の小型セルもまた、典型的にはＬＴＥワイヤレスプロトコルをサポートすることになる。小型セル基地局１１５はまた、他のワイヤレス通信プロトコルをサポートするようにも構成され得る。
【００２２】
[0033]小型セル基地局１１５は、近隣基地局１４０によって送信される制御信号をリッスンするように構成される、ネットワークリッスン（ＮＬ）モジュールを含むように構成され得る。いくつかの実装形態では、ＮＬモジュールは、近隣基地局１４０など、小型セル基地局１１５が位置するカバレージエリアを有する近隣基地局１１５からの、帯域内のダウンリンク制御信号を検出するように構成され得る。そのような実装形態では、小型セル基地局１１５は、ダウンリンク送信のために近隣基地局１４０によって使用された同じ周波数または周波数のセットを使用して、小型セル基地局１１５によってサポートされるモバイルデバイス１２０へデータを送信し、モバイルデバイス１２０からデータを受信するように構成される。近隣基地局１４０からの制御信号は、小型セル基地局１１５が小型セル基地局１１５においてタイミングおよび／または周波数同期誤差を補正するために使用することができる、タイミングおよび／または周波数同期情報を含み得る。制御信号はまた、（ａ）ネイバーリストを構築すること、近隣セルとの物理セル識別情報（ＰＣＩ）衝突を回避するためのＰＣＩ選択など、自己組織化ネットワーク（ＳＯＮ）関係の適用例、（ｂ）近隣基地局のセルグローバル識別情報（ＣＧＩ）を使用する、近似ロケーション決定、および（ｃ）干渉管理などの適用例をサポートするために、小型セル基地局１１５が使用することができる、他の情報を含み得る。
【００２３】
[0034]小型セル基地局１１５の送信機が、小型セル基地局１１５の受信機が制御信号または他の情報をリッスンするように構成される、ネットワークリッスン期間または他の期間中に、送信することになっていた場合、送信機および受信機が１つまたは複数の同じ周波数チャネル内で動作中であるので、送信機による送信は、受信機において自己誘導干渉を引き起こし得る。他の実装形態では、小型セル基地局１１５は、近隣基地局１４０として、異なる周波数帯域内で動作するように構成され得る。そのような実装形態では、小型セル基地局１１５のＮＬモジュールは、近隣基地局１４０によってブロードキャストされた制御信号を検出するために、近隣基地局の周波数帯域に同調するように構成され得る。
【００２４】
[0035]ＮＬモジュールの動作は、小型セル基地局１１５に接続されたモバイルデバイス１２０に提供されたサービスに影響を及ぼし得る。従来の小型セル基地局１１５では、ＮＬモジュールは、典型的には、小型セル基地局１１５の送信機によって引き起こされる自己誘導干渉を回避するために、ＮＬモジュールが近隣基地局１４０からの制御信号をリッスンする期間中に、小型セル基地局１１５と小型セル基地局１１５に接続されたモバイルデバイス１２０との間のダウンリンク送信を一時停止させるように構成される。結果として、小型セル基地局１１５に接続されたモバイルデバイス１２０は、ネットワークリッスン期間中にサービス中断または低下を経験し得る。２つのタイプの送信一時停止（ＳＴＸ：suspended transmission）は、ネットワークリッスンに対する一時停止により発生し得る中断または低下をサービスし、すなわち、（１）スケジュールＳＴＸ、および（２）非スケジュールＳＴＸである。スケジュールＳＴＸは、サービング小型セル基地局１１５に接続されたモバイルデバイス１２０が、ネットワークリッスン期間中に一時停止について通知され、モバイルデバイス１２０が、小型セル基地局１１５ダウンリンク上のいかなる送信も期待していない場合、発生する。非スケジュールＳＴＸは、モバイルデバイス１２０がダウンリンク送信を期待しているが、小型セル基地局１１５がネットワークリッスン期間にわたって送信を一時停止する場合、発生する。非スケジュールＳＴＸでは、モバイルデバイス１２０は、一時停止のタイミングおよび／または持続時間に基づいて、異なるレベルの中断および／またはサービス低下を経験し得る。たとえば、数ミリ秒ごとに瞬間推定値をフィルタ処理する、追跡ループおよびチャネル推定など、モバイルデバイス１２０によって使用されたパラメータ推定アルゴリズムは、ＳＴＸ持続時間が１０〜２０ｍｓを超える場合に中断される可能性が高い。ＳＴＸ持続時間が５０ｍｓを超える場合、モバイルデバイス１２０によって使用された電力制御ループは、より高いアップリンク電力をトリガすることがあり、ユニバーサルモバイルテレコミュニケーションシステム（ＵＭＴＳ）の回線交換チャネルを介した音声の品質は、低下し始めることがある。８０ｍｓを超えるＳＴＸ持続時間は、ロングタームエボリューション（ＬＴＥ）システムを介したボイスオーバーＩＰ（ＶｏＩＰ）トラフィックなど、遅延敏感なトラフィックに影響を及ぼし得る。無線リンク障害（ＲＬＦ）レートもまた、増加するＳＴＸ持続時間とともに増加し得る。
【００２５】
[0036]図２は、ネットワーク環境の様々な要素間のアップリンクデータ接続とダウンリンクデータ接続とを示す、図１で示された例示的なネットワークの一部分のブロック図である。小型セル基地局１１５から、小型セル基地局１１５に接続されたモバイルデバイス１２０へのダウンリンクチャネル１３５（本明細書ではＤＬ１と呼ばれる）と、近隣基地局１４０から小型セル基地局１１５へのダウンリンクチャネル１４５（本明細書ではＤＬ２と呼ばれる）とは、１つまたは複数の同じ周波数を共有し得る。したがって、制御信号がＤＬ２  １４５上で送信されていたのと同じ時間に、小型セル基地局１１５がＤＬ１  １３５上で送信することになっていた場合、小型セル基地局１１５は、小型セル基地局１１５の送信機によって引き起こされる干渉を回避するために、近隣基地局１４０がＤＬ２  １４５上で制御信号を送信中である期間中に、送信することを停止し得る。他の実装形態では、ＤＬ１およびＤＬ２は、同じ周波数を共有しなくてよく、小型セル基地局１１５のＮＬリッスンモジュールは、ネットワークリッスン期間中に近隣基地局１４０の周波数に、小型セル基地局１１５の受信機を同調させるように構成され得る。
【００２６】
[0037]小型セル基地局１１５は、自己誘導干渉を補償しながら、小型セル基地局１１５とモバイルデバイス１２０との間の全二重通信を改善するために、次の技法のうちの１つまたは複数を使用することができる。小型セル基地局１１５によって使用され得る１つの技法は、自己誘導干渉消去（ＳＥＬＩＣ：self-induced interference cancellation）であり、複数の無線技術と、送信と受信の両方のために同じ時間に同じ周波数チャネルを使用する全二重ワイヤレスシステムとの共存を容易にすることができる。小型セル基地局１１５によって実装され得る、本明細書で開示されるＳＥＬＩＣ技法の例示的な実装形態は、図７に示されている。
【００２７】
[0038]小型セル基地局１１５によって使用され得る技法の別のセットは、スマートスケジューリングおよび周波数分離である。ＤＬ１  １３５およびＤＬ２  １４５のためのダウンリンク周波数は、自己干渉を最小限に抑えるために分離され得る。小型セル基地局１１５はまた、ネットワーク上の自己干渉の量を低減するために、近隣基地局１４０の帯域と中心周波数とに基づいて、それ自体の動作周波数を選択するようにも構成され得る。小型セル基地局１１５はまた、ネットワークリッスン期間にわたってスケジュールされる送信が、自己誘導干渉を回避するためにそのような期間の外側にわたって再スケジュールされ得るか否かを決定するために、スマートスケジューリング技法を使用するようにも構成され得る。小型セル基地局１１５によって実装され得る、本明細書で開示される周波数分離技法の一例は、図８に示されており、小型セル基地局１１５によって実装され得るスマートスケジューリング技法の一例は、図１１に示されている。
【００２８】
[0039]小型セル基地局１１５によって使用され得る別の技法は、小型セル基地局１１５が近隣基地局１４０からの制御信号または他のデータをリッスンするように構成されるネットワークリッスン期間または他の期間中に、小型セル基地局１１５において送信電力を制御することである。送信機１１５の送信機の電力は、小型セル基地局１１５の受信機において経験される自己誘導干渉の量を低減するために、並行したＮＬおよび小型セル基地局１１５ダウンリンク動作中に低減され得る。この技法はまた、本明細書では、小型セル基地局１１５電力デブースティング（de-boosting）とも呼ばれる。電力制御技法の一例は、図９に示されている。
【００２９】
[0040]図１および図２に示された例示的なネットワーク構成は、本明細書で開示される技法が実装され得るネットワークの１つの可能な構成の一例にすぎない。他のネットワーク構成は、図１および図２に示されていない追加の要素を含み得、様々な構成要素は、図１および図２に示されたものとは異なる構成で相互接続され得る。図１および図２に示されたハードウェアは、本明細書で説明される例示的な実装形態を実装するために使用され得る。
【００３０】
例示的なハードウェア
[0041]図３は、前述の図に示されたモバイルデバイス１２０を実装するために使用され得る、モバイルデバイスのブロック図である。モバイルデバイス１２０は、バス３０１によって互いに接続された汎用プロセッサ３１０と、デジタル信号プロセッサ（ＤＳＰ）３２０と、ワイヤレスインターフェース３２５と、ＧＰＳインターフェース３６５と、非一時的メモリ３６０とを含む、コンピュータシステムを備える。ワイヤレスインターフェース３２５は、モバイルデバイス１２０が、１つまたは複数のワイヤレスワイドエリアネットワーク（ＷＷＡＮ）システムに関連付けられたワイヤレス通信プロトコルを使用して、データを送り、および／または受信することを可能にする、ワイヤレス受信機、送信機、トランシーバ、および／または他の要素を含み得る。ワイヤレスインターフェース３２５は、小型セル基地局１１５、および／またはワイヤレス通信プロトコルを使用して通信するように構成された他のワイヤレスデバイスへ通信を送り、およびそれから通信を受信するためのアンテナ３３４に、ライン３３２によって接続される。ＧＮＳＳインターフェース３６５は、モバイルデバイス１２０が、１つまたは複数のＧＮＳＳシステムに関連付けられた送信機から信号を受信することを可能にする、ワイヤレス受信機および／または他の要素を含み得る。ＧＮＳＳインターフェース３６５は、ＧＮＳＳ送信機から信号を受信するためのアンテナ３７４に、ライン３７２によって接続される。モバイルデバイス１２０は、図３に示されたトランシーバに加えて、またはその代わりに、他のワイヤレスプロトコルを使用して通信を受信し、および／または送るように構成された、１つまたは複数のトランシーバを含み得る。ＤＳＰ３２０は、ワイヤレスインターフェース３２５および／またはＧＮＳＳインターフェース３６５から受信された信号を処理するように構成されてよく、また、メモリ３６０に記憶されたプロセッサ可読、プロセッサ実行可能ソフトウェアコードとして実装された１つもしくは複数のモジュールのために、もしくはそれとともに信号を処理するように構成されてよく、および／または、プロセッサ３１０とともに信号を処理する構成されてよい。
【００３１】
[0042]プロセッサ３１０は、インテリジェントデバイス、たとえば、Ｉｎｔｅｌ（登録商標）ＣｏｒｐｏｒａｔｉｏｎまたはＡＭＤ（登録商標）によって製造されたものなどのパーソナルコンピュータ中央処理ユニット（ＣＰＵ）、マイクロコントローラ、特定用途向け集積回路（ＡＳＩＣ）などであり得る。メモリ３６０は、ランダムアクセスメモリ（ＲＡＭ）、読取り専用メモリ（ＲＯＭ）、またはそれらの組合せを含み得る、非一時的記憶デバイスである。メモリ３６０は、（説明は、ソフトウェアが機能を実施すると読めることがあるが）本明細書で説明される機能を実施するようにプロセッサ３１０を制御するための命令を含んでいるプロセッサ可読、プロセッサ実行可能ソフトウェアコードを記憶することができる。ソフトウェアは、ネットワーク接続を介してダウンロードされること、ディスクからアップロードされることなどによって、メモリ３６０上にロードされ得る。さらに、ソフトウェアは直接実行可能でないことがあり、たとえば、実行の前にコンパイルを必要とする。
【００３２】
[0043]メモリ３６０中のソフトウェアは、プロセッサ３１０が、小型セル基地局１１５からのデータを送ることおよび／または受信することを実装することを含む、様々なアクションを実施することを可能にするように構成される。
【００３３】
[0044]図４は、前述の図に示された小型セル基地局１１５を実装するために使用され得る、小型セル基地局１１５のブロック図である。小型セル基地局１１５は、バス４０１によって互いに接続された汎用プロセッサ４１０と、デジタル信号プロセッサ（ＤＳＰ）４２０と、ワイヤレスインターフェース４２５と、バックホールインターフェース４７０と、非一時的メモリ４６０とを含む、コンピュータシステムを備える。ワイヤレスインターフェース４２５は、小型セル基地局１１５がワイヤレス通信プロトコルを使用して、データを送り、および／または受信することを可能にする、ワイヤレス受信機、送信機、トランシーバ、および／または他の要素を含み得る。たとえば、ワイヤレスインターフェースは、ロングタームエボリューション（ＬＴＥ）ワイヤレス通信プロトコルおよび／または他のワイヤレス通信プロトコルをサポートするように構成され得る。ワイヤレスインターフェース４２５は、モバイルデバイス１２０、および／または、小型セル基地局１１５によってサポートされたワイヤレス通信プロトコルを使用して通信するように構成された他のワイヤレスデバイスへ通信を送り、およびそれから通信を受信するためのアンテナ４３４に、ライン４３２によって接続される。バックホールインターフェース４７０は、ネットワーク１１０へのブロードバンド接続への、１つまたは複数のワイヤードおよび／またはワイヤレス接続であり、提供する。バックホールインターフェース４７０は、デジタル加入者回線（ＤＳＬ）、ケーブルサービス、および／または他のタイプのブロードバンドサービスへの接続を提供するように構成され得る。バックホールインターフェース４７０は、ＤＳＬモデムまたはケーブルモデムなど、中間デバイスに接続するように構成されてよく、中間デバイスは、今度はバックホールネットワークへの接続性を提供する。したがって、バックホールインターフェース４７０は、中間デバイスにワイヤードおよび／またはワイヤレス接続性を提供する、イーサネット（登録商標）インターフェースまたは他のインターフェースを含み得る。
【００３４】
[0045]プロセッサ４１０は、インテリジェントデバイス、たとえば、Ｉｎｔｅｌ（登録商標）ＣｏｒｐｏｒａｔｉｏｎまたはＡＭＤ（登録商標）によって製造されたものなどのパーソナルコンピュータ中央処理ユニット（ＣＰＵ）、マイクロコントローラ、特定用途向け集積回路（ＡＳＩＣ）などであり得る。メモリ４６０は、ランダムアクセスメモリ（ＲＡＭ）と読取り専用メモリ（ＲＯＭ）とを含む、記憶デバイスである。メモリ４６０は、（説明は、ソフトウェアが機能を実施すると読めることがあるが）本明細書で説明される機能を実施するようにプロセッサ４１０を制御するための命令を含んでいるプロセッサ可読、プロセッサ実行可能ソフトウェアコードを記憶する。ソフトウェアは、ネットワーク接続を介してダウンロードされること、ディスクからアップロードされることなどによって、メモリ４６０上にロードされ得る。さらに、ソフトウェアは直接実行可能でないことがあり、たとえば、実行の前にコンパイルを必要とする。ＤＳＰ４２０は、ワイヤレスインターフェース４２５および／またはＧＮＳＳインターフェース４７５から受信された信号を処理するように構成されてよく、また、メモリ４６０  ３６０に記憶されたプロセッサ可読、プロセッサ実行可能ソフトウェアコードとして実装された１つもしくは複数のモジュールのために、もしくはそれとともに信号を処理するように構成されてよく、および／または、プロセッサ３１０とともに信号を処理する構成されてよい。
【００３５】
[0046]メモリ４６０中のソフトウェアは、本明細書で説明される自己誘導干渉を補償するための様々な技法を実装することを含む、様々なアクションを実施するように構成され得る。
【００３６】
[0047]小型セル基地局１１５のいくつかの実装形態はまた、グローバルナビゲーション衛星システム（ＧＮＳＳ）インターフェース４７５を含み得る。ＧＮＳＳインターフェース４７５は、１つまたは複数のＧＮＳＳシステムの衛星からの信号を送り、および受信するためのアンテナ４７４に、ライン４７２によって接続される。ＧＮＳＳインターフェース４７５は、信号を受信および測定し、全地球測位システム（ＧＰＳ）、ガリレオシステム、ＧＬＯＮＡＳＳシステム、および／または他のＧＮＳＳシステムなど、１つまたは複数のＧＮＳＳシステムに関連付けられた擬似距離測定衛星を決定するように構成され得る。ＧＮＳＳインターフェース４７５を含む小型セル基地局１１５は、小型セル基地局１１５のより厳密な周波数および時間同期を維持するために使用され得る基準として、ＧＮＳＳ信号を使用するように構成され得る。
【００３７】
[0048]小型セル基地局１１５はまた、バックホールインターフェース４７０を介して、高精度タイミングプロトコル（ＰＴＰ）を使用して、ネットワークサーバから同期情報を取得するようにも構成され得る。ＧＮＳＳインターフェース４７５を有する、および／または、同期情報のためにＰＴＰを使用してネットワークサーバに接触するように構成される小型セル基地局１１５は、より低い同期ストレータムレベルにおいて動作する他の小型セル基地局１１５によって使用され得る制御信号をブロードキャストするように構成され得る。
【００３８】
[0049]図５は、図４に示されたメモリの機能モジュールを示す、図４に示された小型セル基地局１１５の機能ブロック図である。たとえば、小型セル基地局１１５は、ネットワークリッスンモジュール４６２と、干渉補償モジュール４６４と、周波数分離モジュール４６６と、電力制御モジュール４６８と、接続管理モジュール４７２と、送信スケジューリングモジュール４７４とを含み得る。小型セル基地局１１５はまた、小型セル基地局１１５に他の機能を提供する、１つまたは複数の追加の機能モジュールを含み得る。図４および図５に示された小型セル基地局１１５は、図６〜図１２に示されたプロセスに関連付けられた小型セル基地局１１５を実装するために使用され得る。
【００３９】
[0050]ネットワークリッスンモジュール４６２は、近隣基地局１４０からのダウンリンク制御信号を検出するように構成され得る。ネットワークリッスンモジュール４６２は、限定はされないが、（ａ）ネイバーリストを構築すること、近隣セルとの物理セル識別情報（ＰＣＩ）衝突を回避するためのＰＣＩ選択など、自己組織化ネットワーク（ＳＯＮ）関係の適用例と、（ｂ）近隣基地局のセルグローバル識別情報（ＣＧＩ）を使用する、近似ロケーション決定と、（ｃ）時間および周波数同期と、（ｄ）干渉管理とを含む様々なタイプの機能を、小型セル基地局１１５が実行することを可能にするように構成され得る。この機能は、ネットワークリッスンモジュール４６２によって、および／または小型セル基地局１１５の他のモジュールによって実装され得る。
【００４０】
[0051]ネットワークリッスンモジュール４６２はまた、送信機４２６によって引き起こされる、受信機４２７によって経験される自己誘導干渉を補償するようにも構成され得る。ネットワークリッスンモジュール４６２は、自己誘導干渉を補償するために、次の技法、すなわち、（１）アクティブ干渉消去と、（２）スケジューリングおよび周波数補償と、（３）自己誘導干渉を低減することが望ましい、ネットワークリッスン期間および他の時間期間中に、送信電力レベルを低減すること（本明細書では、デブースティングとも呼ばれる）とのうちの、１つまたは複数のために構成され得る。ネットワークリッスンモジュール４６２は、自己誘導干渉を補償するためにアクティブ干渉消去を実施するように、干渉補償モジュール４６４に要求を送るように構成され得る。ネットワークリッスンモジュール４６２はまた、自己誘導干渉を補償するために周波数補償を実施するように、周波数補償モジュール４６６に要求を送るようにも構成され得る。ネットワークリッスンモジュール４６２はまた、自己誘導干渉を補償するために、送信機４２６の送信電力レベルを調整するように、電力制御モジュール４６８に要求を送るようにも構成され得る。ネットワークリッスンモジュール４６２はまた、可能な場合、自己誘導干渉を引き起こすことを回避するために、ネットワークリッスン期間または他の同様の期間中にスケジュールされた送信を再スケジュールするように、送信スケジューリングモジュール４７４に要求を送るようにも構成され得る。ネットワークリッスンモジュール４６２は、図６および図１２に示されたプロセスを実装するように構成され得る。
【００４１】
[0052]干渉補償モジュール４６４は、小型セル基地局１１５において自己誘導干渉を補償するように構成され得る。干渉補償モジュール４６４は、送信機４２６によって引き起こされた干渉を消去するために、受信機４２７によって受信された信号に対してアクティブ干渉消去（ＡＩＣ：active interference cancellation）技法を実施するように構成され得る。干渉補償モジュール４６２は、送信機４２６によって送信された信号を監視することと、送信機４２６によって送信された信号の影響の少なくとも一部分を消去するために使用され得る、受信機４２７に与えられ得る信号を生成することとを行うように構成され得る。ＡＩＣ技法は、自己誘導干渉を低減および／または実質的に除去するために使用され得る。ＡＩＣ技法は、ネットワークリッスンモジュール４６２が近隣基地局１４０からの制御信号をリッスンするように構成される、ネットワークリッスン期間中に適用され得る。干渉補償モジュール４６４は、図７に示されたプロセスを実装するように構成され得る。
【００４２】
[0053]周波数補償モジュール４６６は、ダウンリンク送信のために近隣基地局１４０によって使用されたの動作周波数とは異なる、送信のための動作周波数または動作周波数のセットを使用して動作するように、小型セル基地局１１５の送信機４２６を構成するように構成され得る。周波数補償モジュール４６６は、図８に示された周波数分離のためのプロセスを実装するように構成され得る。
【００４３】
[0054]送信スケジューリングモジュール４７４は、自己誘導干渉を低減または実質的に除去するために、送信機４２６のための送信をスケジュールするように構成され得る。たとえば、送信スケジューリングモジュール４７４は、受信機４２７が近隣基地局１４０からの制御信号情報または他のデータをリッスンするように構成されるネットワークリッスン期間または他の期間中の送信のためにスケジュールされた特定の送信が、この期間の外側にわたって再スケジュールされ得るか否かを決定するように構成され得る。この送信が再スケジュールされ得る場合、送信スケジューリングモジュール４７４は、自己誘導干渉を低減または除去するために、ネットワークリッスン期間または他のそのような期間の外側にわたって、この送信を再スケジュールするように構成され得る。いくつかの送信は、ＱｏＳ要件または他のそのような制約のために再スケジュールされ得ないことがあり、それらの送信は、これらの要件を満たすようにスケジュールされることになる。送信スケジューリングモジュール４７４は、図１１に示されたプロセスを実装するように構成され得る。
【００４４】
[0055]電力制御モジュール４６８は、ネットワークリッスン期間中に送信機４２６の送信電力レベルを低減することによって、送信機４２６によって引き起こされた自己誘導干渉を補償するように構成され得る。電力制御モジュール４６８は、低減された送信電力レベルを決定するように、および、小型セル基地局１１５において自己誘導干渉を低減することが望ましいネットワークリッスン期間または他の時間期間中に、その低減された送信電力レベルを使用して動作するように送信機４２６を構成したために、構成され得る。電力制御モジュール４６８は、小型セル基地局１１５において自己誘導干渉を低減または実質的に除去することが望ましいネットワークリッスン期間または他の期間中に使用されるべき、低減された送信電力レベルを決定するとき、小型セル基地局１１５に対する、小型セル基地局１１５に接続されたモバイルデバイス１２０の距離を考慮に入れるように構成されてよく、電力制御モジュール４６８はまた、小型セル基地局１１５に接続されたモバイルデバイス１２０との間のリンクの信号品質と、接続されたモバイルデバイス１２０に関連付けられた任意のサービス品質（ＱｏＳ）要件とを考慮に入れる構成されてもよい。電力制御モジュール４６８は、図９および図１０に示されたプロセスを実装するように構成され得る。
【００４５】
[0056]接続管理モジュール４７２は、モバイルデバイス１２０が小型セル基地局１１５  １２０に接続するとき、バックホールインターフェース４７０を介して、ネットワークプロバイダのコアネットワークへ、モバイルデバイス１２０についてのＱｏＳ情報についての要求を送るように構成され得る。接続管理モジュール４７２は、バックホールインターフェース４７０を介して、コアネットワークから、モバイルデバイス１２０についてのＱｏＳ情報を受信するように構成され得る。いくつかの実装形態では、小型セル基地局１１５に接続されるすべてのモバイルデバイス１２０についてのＱｏＳ情報が、コアネットワークから取得され得る。接続管理モジュール４７２は、小型セル基地局１１５に関連付けられたメモリ４６０または別の記憶デバイスにＱｏＳ情報を記憶するように構成され得る。電力制御モジュール４６８は、メモリ４６０またはそのメモリに関連付けられた他の記憶デバイスからのＱｏＳ情報にアクセスするように構成され得る。
【００４６】
例示的な実装形態
[0057]次の例は、ネットワークリッスン期間中の小型セル基地局１１５における自己干渉の補償がどのように達成され得るかを示す。これらの例示的な実装形態は、図４および図５に示された小型セル基地局１１５を使用して実装され得る。小型セル基地局１１５は、図６〜図１１に示された方法を実装するように構成され得る。
【００４７】
[0058]図６は、本明細書で開示される技法を実装するために使用され得る、自己誘導干渉を補償するための例示的なプロセスの流れ図である。図６に示されたプロセスは、小型セル基地局１１５のネットワークリッスンモジュール４６２によって実装され得る。ネットワークリッスンモジュール４６２は、干渉補償モジュール４６４と、周波数補償モジュール４６６と、電力制御モジュール４６８と、送信スケジューリングモジュール４７４とのうちの１つまたは複数によって支援され得る。
【００４８】
[0059]このプロセスは、ワイヤレス通信ネットワークに関連付けられた近隣基地局１４０からの制御信号を検出することから開始し得る（段階６０５）。制御信号は、規則的な、あらかじめ決定された間隔で、近隣基地局１４０によって送信されてよく、ネットワークリッスンモジュール４６２は、それらのあらかじめ決定された間隔中に制御信号をリッスンするように構成され得る。近隣基地局１４０は、タイミングおよび／または周波数同期情報を含み得る、ダウンリンク制御信号を送信するように構成され得る。制御信号は、小型セル基地局１１５においてタイミングおよび／または周波数同期誤差を補正するために、ネットワークリッスンモジュール４６２によって使用され得る。ネットワークリッスンモジュール４６２は、近隣基地局１４０によって帯域内で送信されたこれらおよび／または他のタイプの制御信号をリッスンするように構成され得る。
【００４９】
[0060]このプロセスは、制御信号が近隣基地局１４０から受信される期間中に、小型セル基地局１１５の送信機４２６が送信することによって引き起こされた自己誘導干渉を補償することを継続し得る（段階６１０）。小型セル基地局１１５の送信機４２６によって引き起こされた自己誘導干渉を補償することは、次の技法、すなわち、（１）アクティブ干渉消去と、（２）送信スケジューリングおよび周波数分離と、（３）自己誘導干渉を低減することが望ましい、ネットワークリッスン期間および他の時間期間中に、送信電力レベル使用された送信機４２６を低減することとのうちの、１つまたは複数を含み得る。アクティブ干渉消去のための例示的なプロセスは、図７において提供され、周波数分離のための例示的なプロセスは、図８において提供され、自己誘導干渉を低減することが望ましい、ネットワークリッスン期間および他の時間期間中に、送信電力レベルを低減するための例示的なプロセスは、図９において提供され、送信スケジューリングのための例示的なプロセスは、図１１において提供される。
【００５０】
[0061]図７は、本明細書で開示される技法を実装するために使用され得る、自己誘導干渉消去のための例示的なプロセスの流れ図である。図７に示されたプロセスは、小型セル基地局１１５の干渉補償モジュール４６４によって実装され得る。図７に示されたプロセスは、図６に示されたプロセスの段階６１０の少なくとも一部分を実装するために使用され得る。図７に示されたプロセスは、ネットワークリッスンモジュール４６２からの信号に応答して実行されてよく、または、小型セル基地局１１５において自己誘導干渉を低減することが望ましいネットワークリッスン期間および／もしくは他の時間期間より前に自動的に、干渉補償モジュール４６４によって自動的に実行されるようにスケジュールされてよい。いくつかの実装形態では、干渉補償モジュール４６４は、送信機４２６がデータを送信する任意の時間に、図７に示された技法を実施するように構成され得る。
【００５１】
[0062]小型セル基地局１１５の送信機４２６および受信機４２７は、データの送信とデータの受信の両方のために、同じ周波数チャネルを使用するように構成され得る。結果として、受信機４２７がデータを受信中である同じ時間に、送信機４２６がデータを送信する場合、送信機４２６は、受信機４２７において干渉を引き起こし得る。受信機がダウンリンクチャネル１４５を介して基地局１４５からデータを受信中である間に、送信機４２６がダウンリンクチャネル１３５上でモバイルデバイス１２０へデータを送信中である場合、このシナリオが発生し得る１つの状況。これは、小型セル基地局１１５のネットワークリッスンモジュール４６２が近隣基地局１４０によって送信された制御信号開始を検出しようと試みている、ネットワークリッスン期間中に、小型セル基地局１１５がモバイルデバイス１２０へデータを送信する場合、発生し得る。
【００５２】
[0063]送信機４２６によって送信された、および／または送信されるべき信号が、監視され得る（段階７０５）。干渉補償モジュール４６４は、ベースバンド（ＢＢ）、無線周波数（ＲＦ）において、またはＢＢおよびＲＦにおいて同時に送信された、および／または送信されようとしている信号を、アクティブに監視するように構成され得る。ワイヤレスインターフェース４２５は、干渉補償モジュール４６４に出力信号を与えるように構成され得る。この信号は、干渉補償モジュール４６４が受信機４２７における自己誘導情報を推定するために使用することができる、波形情報を含み得る。たとえば、ワイヤレスインターフェース４２５は、バス４０１を介して干渉補償モジュール４６４へ、ＢＢ情報および／またはＲＦ情報を送るように構成され得る。いくつかの実装形態では、干渉補償モジュール４６４は、ハードウェアおよび／またはソフトウェアとしてワイヤレスインターフェース４２５において実装されてよく、ワイヤレスインターフェース４２５は、プロセッサとメモリとを含み得る。送信機４２６は、干渉補償モジュール４６４へ、ベースバンドおよび／またはＲＦ信号情報を出力することができる、１つまたは複数の出力ラインを含むように構成され得る。
【００５３】
[0064]受信機４２７において送信機４２６によって引き起こされた干渉の自己誘導干渉推定値が、次いで決定され得る（段階７１０）。干渉補償モジュール４６４は、ワイヤレスインターフェース４２５からのベースバンドおよび／またはＲＦ信号情報に基づいて、受信機４２７において送信機４２６によって引き起こされた自己誘導干渉を推定するように構成され得る。補償がＲＦ領域において実施される実装形態では、基準信号が、送信機における結合デバイスを使用して、送信機から受信機に与えられ得る。補償モジュール４６４は、この信号を使用してＲＦ領域において自己誘導干渉を推定するために、この信号情報を使用することができる。補償がベースバンド領域において実施される実装形態では、基準信号が、デジタルアナログコンバータ（ＤＡＣ）の前に送信機から出力され、ＢＢ領域において送信機によって引き起こされた自己誘導干渉を推定するために、受信機に与えられ得る。
【００５４】
[0065]推定された干渉が、次いで、自己誘導干渉推定値に基づいて、受信機４２７において補償され得る（段階７１５）。干渉補償モジュール４６４は、受信機４２７に与えられ得るＢＢ信号および／またはＲＦ信号を生成するように構成されてよく、受信機４２７は、自己誘導干渉を消去するために、ＢＢ信号および／またはＲＦ信号を使用することができる。干渉補償モジュール４６４は、受信機４２７における自己誘導干渉を補償するためのいくつかのアクティブ干渉消去（ＡＩＣ）技法から選択するように構成され得る。干渉補償モジュール４６４は、干渉補償モジュール４６４によって推定された自己誘導干渉の重大度と、補償がＢＢにおいて感情的である可能性が最も高いか、ＲＦにおいて感情的である可能性が最も高いか、両方において感情的である可能性が最も高いかとに基づいて、特定の技法を選択するように構成され得る。たとえば、干渉補償モジュール４６４は、受信機４２７の低雑音増幅器（ＬＮＡ）およびアナログデジタルコンバータ（ＡＤＣ）が飽和しない場合、自己誘導干渉の影響を消去するために、ＢＢ  ＡＩＣ信号を生成し、受信機４２７にそれらの信号を与えるように構成され得る。干渉補償モジュール４６４は、受信機４２７によって出力された信号情報に基づいて、この決定を行うように構成され得る。干渉補償モジュール４６４が、送信機のＬＮＡおよび／またはＡＤＣが飽和すると決定する場合、干渉補償モジュール４６４は、自己誘導干渉の影響を消去するために、ＲＦ  ＡＩＣ信号を生成し、受信機４２７にそれらの信号を与えるように構成され得る。干渉補償モジュール４６４はまた、自己誘導干渉を補償するために、ＢＢ  ＡＩＣ信号とＲＦ  ＡＩＣ信号の両方を生成し、送信機４２６にＢＢ  ＡＩＣ信号とＲＦ  ＡＩＣ信号とを与えるようにも構成され得る。いくつかの実装形態では、干渉補償モジュール４６４は、必要とされた消去深度と、受信機電力ヘッドルーム（ＬＮＡおよびＡＤＣにおける、受信電力対最大サポート帯域内電力）とに基づいて、ＢＢベースの消去を使用するべきか、ＲＦベースの消去を使用するべきか、それらの組合せを使用するべきかを決定するように構成され得る。ＢＢ領域におけるデジタル干渉消去は、受信機の極めて近くに位置する強い送信信号によって引き起こされた大量の干渉に対処することができない場合がある。たとえば、受信機のダイナミックレンジが、強い自己誘導干渉で飽和する場合、干渉補償モジュール４６４は、受信機信号レベルを下げるためにＲＦベースの干渉消去を使用することと、残留自己誘導干渉に対処するためにＢＢベースの干渉消去を使用することとを行うように構成され得る。
【００５５】
[0066]図８は、本明細書で開示される技法を実装するために使用され得る、周波数分離のための例示的なプロセスの流れ図である。図８に示されたプロセスは、小型セル基地局１１５の周波数分離モジュール４６６によって実装され得る。図８に示されたプロセスは、図６に示されたプロセスの段階６１０の少なくとも一部分を実装するために使用され得る。図８に示されたプロセスは、ネットワークリッスンモジュール４６２からの信号に応答して実行されてよく、または、小型セル基地局１１５において自己誘導干渉を低減もしくは実質的に除去することが望ましいネットワークリッスン期間および／もしくは他の時間期間より前に自動的に、周波数分離モジュール４６６によって自動的に実行されるようにスケジュールされてよい。いくつかの実装形態では、干渉補償モジュール４６４は、送信機４２６がデータを送信する任意の時間に、図８に示された技法を実施するように構成され得る。周波数分離モジュール４６６は、自己誘導干渉の影響を低減するために、図８に示されたプロセスの段階８０５および８１０などで、周波数分離を実施するように構成され得る。これらの技法の使用は、小型セル基地局１１５の受信機４２７によって経験され、小型セル基地局１１５の送信機４２６によって引き起こされた自己誘導干渉が、低減または実質的に除去され得るとき、モバイルデバイス１２０において同時のアップリンク送信およびダウンリンク送信が発生することを可能にすることができる。さらに、送信機４２６は、受信機４２７が近隣基地局１４０からの制御信号または他のデータをリッスン中であるネットワークリッスン期間および／または他のそのような期間中に、ダウンリンク通信を送信することを妨げられないので。
【００５６】
[0067]小型セル基地局１１５による送信のための動作周波数が、近隣基地局１４０によって使用されたダウンリンク周波数に基づいて選択され得る（段階８０５）。周波数分離モジュール４６６は、小型セル基地局１１５の受信機４２７および小型セル基地局１１５の送信機４２６のために、異なる動作周波数を選択するように構成され得る。たとえば、小型セル基地局１１５は、いくつかのＬＴＥネットワーク実装形態において利用可能である、キャリアアグリゲーションをサポートするように構成され得る。キャリアアグリゲーションは、アグリゲートされたキャリアと呼ばれる、帯域幅のセグメントが、アグリゲートされたキャリアを構成する帯域幅のセグメントを備える周波数の範囲を各々が備える、複数のコンポーネントキャリアに分割されることを可能にする。近隣基地局１４０が、第１のコンポーネントキャリアを使用して、制御信号または他のデータを送信するように構成される場合、周波数分離モジュール４６６は、ダウンリンク送信のために異なるコンポーネントキャリアを使用するように、小型セル基地局１１５の送信機４２６を構成するように構成され得る。好ましい実装形態では、受信機４２７によって経験され、送信機４２６によって引き起こされた自己誘導干渉が、低減または実質的に低減されるように、送信機４２６のために選択される動作周波数または動作周波数の範囲は、制御信号および／または他のデータその小型セル基地局１１５を送信するために近隣基地局１４０によって使用された動作周波数または周波数の範囲から分離することになる。いくつかの実装形態では、選択された動作周波数は、周波数の範囲を備えてよく、また、それにおいて小型セル基地局１１５がダウンリンクデータを送信し得る周波数の不連続範囲のセットを備えてよい。小型セル基地局１１５は、多数のキャリア周波数を含む、ある周波数帯域において動作するように構成され得る。小型セル基地局１１５は、近隣基地局１４０によって使用された、検出されたキャリア周波数に基づいて、小型セル基地局１１５がダウンリンク送信のために使用することができるキャリア周波数を決定するように構成され得る。
【００５７】
[0068]送信機４２６が、次いで、選択された動作周波数を使用して動作するように構成され得る（段階８１０）。周波数分離モジュール４６６は、選択する動作周波数４６４を使用するように、送信機を構成するように構成され得る。スケジューリングおよび周波数モジュール４６４は、小型セル基地局１１５の送信機４２６を構成し、受信機４２７が近隣基地局１４０からの制御信号または他のデータをリッスン中であるネットワークリッスン期間および／または他のそのような期間中に、選択された周波数を使用して動作するように構成され得る。いくつかの実装形態では、周波数分離モジュール４６６は、小型セル基地局１１５が電源投入されるとき、段階８０５の決定を行うように構成され得る。いくつかの実装形態では、周波数分離モジュール４６６は、常にその選択された周波数を操作するように、送信機４２６を構成するように構成され得る。他の実装形態では、周波数分離モジュール４６６は、受信機４２７が近隣基地局１４０からの制御信号または他のデータをリッスン中であるネットワークリッスン期間および／または他のそのような期間中に、選択された動作周波数を使用するように、送信機４２６の動作周波数を構成するように構成され得る。
【００５８】
[0069]ダウンリンク送信もまた、受信機４２７が近隣基地局１４０からの制御信号または他の情報をリッスン中であるネットワークリッスン期間と他の時間期間とを回避するように、スケジュールされ得る（段階８１５）。周波数分離モジュール４６６は、自己誘導干渉を低減または実質的に除去する助けとなることが可能な場合、受信機４２７が近隣基地局１４０からの制御信号または他のデータをリッスン中であるネットワークリッスン期間および／または他のそのような期間中に、送信することを回避するように、小型セル基地局１１５に接続されたモバイルデバイス１２０へのダウンリンク送信をスケジュールするように構成され得る。いくつかの状況では、ＱｏＳ要件または他のそのような制約のために、ネットワークリッスン期間または他のそのような期間を回避するように、送信をスケジュールすることが可能でないことがあり、それらの送信は、これらの要件を満たすようにスケジュールされることになる。
【００５９】
[0070]図９は、本明細書で開示される技法を実装するために使用され得る、送信機電力低減のための例示的なプロセスの流れ図である。図９に示されたプロセスは、小型セル基地局１１５の電力制御モジュール４６８によって実装され得る。図９に示されたプロセスは、図６に示されたプロセスの段階６１０の少なくとも一部分を実装するために使用され得る。図９に示されたプロセスは、ネットワークリッスンモジュール４６２からの信号に応答して実行されてよく、または、受信機４２７が近隣基地局１４０からの信号をリッスン中である１つもしくは複数のネットワークリッスン期間もしくは他の時間期間より前に自動的に、電力制御モジュール４６２によって自動的に実行されるようにスケジュールされてよい。
【００６０】
[0071]いくつかの実施形態では、図９に示されたプロセスは、ワイヤレスインターフェース４２５の送信機４２６の送信電力レベルを制御するために、小型セル基地局１１５がどのような送信電力制御能力を有するかを決定することによって、先行され得る。いくつかの実装形態では、この決定段階は、小型セル基地局１１５が電源投入される時間に、または、受信機４２７が近隣基地局１４０からの制御信号もしくは他のデータをリッスンするように構成されるネットワークリッスン期間もしくは他の同様の期間に入る前に、実施され得る。いくつかの実装形態では、送信機４２６の送信電力は、構成可能でなくてよく、送信機４２６は、オフに切り替えられるか、または全電力で送信するようにオンに切り替えられてよい。そのような実装形態では、電力制御モジュール４６８は、電力制御モジュール４６８からの電力制御要求に応答して、小型セル基地局１１５の送信機４２６の電力レベルが構成可能でないことを示す信号を、ネットワークリッスンモジュール４６２へ送るように構成され得る。送信機４２６の電力レベルが構成可能である実施形態では、電力制御モジュール４６８は、図９に示されたプロセスを実施するように構成され得る。
【００６１】
[0072]小型セル基地局１１５にアタッチされる、アクティブモードで動作するモバイルデバイスが識別され得る（段階９０５）。小型セル基地局１１５の電力制御モジュール４６８は、アクティブモードで動作中である、小型セル基地局１１５に現在接続されているいずれかのモバイルデバイス１２０があるか否かを決定する。小型セル基地局１１５にアタッチされた、アクティブモードで動作するいかなるモバイルデバイス１２０もない場合、電力制御モジュール４６８は、このプロセスの段階９２５へスキップするように構成され得る。
【００６２】
[0073]いずれかのモバイルデバイスが、より低電力の送信モード（デブースト）によって影響を受けることになる小型セル基地局１１５の有効セル半径のエッジに位置するか否かの決定が行われ得る（段階９１５）。電力制御モジュール４６８が、デブースティングによって、小型セル基地局１１５の送信電力を低下させる場合、送信機がより低い送信電力で動作させられている間、小型セル基地局１１５の有効セル半径が低減される。デブースティング前に小型セル基地局１１５の有効セル半径のエッジに位置するモバイルデバイス１２０は、小型セル基地局１１５がより低い送信電力で動作中であるとき、小型セル基地局１１５からの送信を検出することがもはやできないことがある。もし
【００６３】
[0074]電力制御モジュール４６８が、１つまたは複数のモバイルデバイス１２０がデブースティングより前に小型セル基地局１１５の有効セル半径に、またはその近くに位置すると決定する場合、電力制御モジュール４６８は、送信機４２６がその決定より前に動作させられていた同じ電力レベルで、小型セル基地局１１５の送信機４２６を動作させることを継続するように構成され得る（段階９２０）。さもなければ、小型セル基地局１１５の有効セル半径において、またはその近くで現在動作しているデバイス１２０のうちの１つまたは複数は、送信機電力が低減される場合、小型セル基地局１１５との接続性を失うことがある。さらに、場合によっては、電力制御モジュール４６８は、小型セル基地局１１５に接続されたモバイルデバイス１２０に提供されたサービスレベルにおけるＱｏＳ要件または他の同様の制約のために、送信機４２６の送信電力レベルを低減することができないことがある。
【００６４】
[0075]電力制御モジュール４６８が、デブースティングより前に小型セル基地局１１５の有効セル半径に、またはその近くに、モバイルデバイス１２０が位置していないと決定する場合、電力制御モジュール４６８は、ネットワークリッスン期間中に使用されるべき低減された送信電力を決定するように構成され得る（段階９２５）。この決定は、次のネットワークリッスン期間について行われてよく、または、あらかじめ決定された時間期間にわたる複数のネットワークリッスン期間について決定されてよい。電力制御モジュール４６８は、小型セル基地局１１５に接続された１つまたは複数のモバイルデバイス１２０に関連付けられた任意のサービス品質（ＱｏＳ）要件と、小型セル基地局１１５からのモバイルデバイス１２０の相対的距離と、近隣基地局１４０、またはそのカバレージエリアが小型セル基地局１１５のカバレージエリアと重複する他の小型セルへの近接およびそれからの干渉となどの様々な要因に基づいて、送信機４２６のための低減された電力送信レベルを決定するように構成され得る。小型セル基地局１１５の送信機４２６によって使用されるべき、低減された送信電力を決定するために使用され得る例示的なプロセスは、図１０に示されている。
【００６５】
[0076]送信機４２６が、次いで、ネットワークリッスン期間中に、低減された送信電力で動作させられ得る（段階９３０）。電力制御モジュール４６８は、ネットワークリッスン期間の持続時間にわたって、段階９２５で決定された低減された送信電力レベルで動作するように、小型セル基地局１１５の送信機４２６を構成するように構成され得る。
【００６６】
[0077]送信機４２６が、次いで、ネットワークリッスン期間が経過すると、送信機４２６がネットワークリッスン期間より前に動作中であった以前の電力レベルで動作させられ得る（段階９３５）。電力制御モジュール４６８は、送信機が段階９３０より前に動作中であった送信電力レベルで動作するように、小型セル基地局１１５の送信機４２６を構成するように構成され得る。いくつかの実装形態では、電力制御モジュール４６８は、段階９３５で、最大送信電力で動作するように、小型セル基地局１１５の送信機４２６を構成するように構成され得る。他の実装形態では、電力制御モジュール４６８は、最大送信電力レベル以外のあらかじめ決定された送信電力レベルで、小型セル基地局１１５の送信機４２６を構成するように構成され得る。
【００６７】
[0078]図１０は、図９に示されたプロセスを実装するために使用され得る、送信機のための低減された電力レベルを決定するための例示的なプロセスの流れ図である。図１０に示されたプロセスは、小型セル基地局１１５の電力制御モジュール４６８によって実装されてよく、図１０のプロセスは、図９に示されたプロセスの段階９２５を実装するために使用されてよい。
【００６８】
[0079]小型セル基地局１１５と、小型セル基地局１１５に接続されたモバイルデバイス１２０との間の、相対的距離が決定され得る（段階１００５）。電力制御モジュール４６８は、小型セル基地局１１５と、小型セル基地局１１５に接続されたモバイルデバイス１２０との間の、相対的距離を決定するように構成され得る。小型セル基地局１１５などの小型セルは、典型的には、基地局１４０などの典型的なマクロセル基地局と比較して、限定されたカバレージエリアを有する。モバイルデバイス１２０が小型セル基地局１１５から遠いほど、送信電力における低下がモバイルデバイス１２０に提供されたサービスに影響を及ぼし得る可能性がより高い。そのような送信機電力における低下は、小型セル基地局１１５とモバイルデバイス１２０との間のダウンリンクの信号品質が許容レベルを下回ることを引き起こし得る。さらに、モバイルデバイス１２０において受信されるダウンリンク信号の信号強度は、モバイルデバイス１２０が復号および処理するためには弱すぎるようになり得る。電力制御モジュール４６８は、ロケーションサーバから、またはモバイルデバイス自体から位置情報を取得することと、モバイルデバイスおよび小型セル基地局１１５の位置に基づいて、それらの２つのデバイス間の相対的距離を決定することとを行うように構成され得る。他の実装形態では、電力制御モジュール４６８は、１つまたは複数のシグナリング手段によって相対的距離を決定するように構成され得る。たとえば、小型セル基地局１１５は、小型セル基地局１１５からの各モバイルデバイス１２０の相対的距離を決定するために、ＲＳＳＩ（受信信号強度指示）、ＲＴＴ（往復時間）、到達時間（ＴＯＡ）、および／または他の信号技法を使用するように構成され得る。
【００６９】
[0080]小型セル基地局１１５と、小型セル基地局１１５に接続された１つまたは複数のモバイルデバイス１２０との間の、リンクについての信号品質が決定され得る（段階１０１０）。電力制御モジュール１１５は、小型セル基地局１１５と、小型セル基地局１１５に接続された少なくとも１つまたは複数のモバイルデバイス１２０との間の、信号品質リンクについての情報を受信するように構成され得る。１つまたは複数のモバイルデバイス１２０は、小型セル基地局１１５に、ダウンリンクチャネルについての信号品質情報を報告するように構成され得る。ワイヤレスインターフェース４２５は、この情報を受信し、電力制御モジュール４２５へこの情報を提供するように構成され得る。電力制御モジュール４６８は、小型セル基地局１１５に接続されたモバイルデバイス１２０のうちの１つまたは複数へのダウンリンクチャネルについての信号対雑音比が、あらかじめ決定されたレベルを上回るように増大する場合、送信電力をブーストするように構成され得る。電力制御モジュール４２５は、小型セル基地局１１５に接続されたモバイルデバイス１２０のうちの１つまたは複数へのダウンリンクチャネルについての信号対雑音比を増大させることなく、送信機４２６のどのくらいの送信電力が低減され得るかを決定するように構成されてよく、あらかじめ決定されたレベルを上回るように増大する。
【００７０】
[0081]小型セル基地局１１５に接続された１つまたは複数のモバイルデバイスに関連付けられたサービス品質情報が、アクセスされ得る（段階１０１５）。小型セル基地局１１５に接続されたモバイルデバイス１２０は、小型セル基地局１１５がそのモバイルデバイス１２０に指定されたレベルのサービスを提供することを必要とする、そのモバイルデバイス１２０に関連付けられたＱｏＳ情報を有し得る。ＱｏＳ情報は、小型セル基地局１１５がそれに関連付けられるネットワークサービスプロバイダによって、小型セル基地局１１５に提供され得る。ネットワークサービスプロバイダは、モバイルデバイス１２０がそのネットワークサービスプロバイダと提携している基地局に接続されるとき、モバイルデバイス１２０にあるレベルのサービスを提供するように、加入者と契約し得る。このＱｏＳ情報はまた、小型セル基地局１１５などの小型セル基地局にも適用され得る。電力制御モジュール４６８は、小型セル基地局１１５に接続された１つまたは複数のモバイルデバイス１２０に提供されたサービスに悪影響を及ぼし得る、送信機４２６の送信電力レベルを減少させる前に、ＱｏＳ情報を考慮に入れるように構成され得る。ＱｏＳ情報は、小型セル基地局１１５が特定のモバイルデバイス１２０に関して満たすことを必要とされる、様々な要件を指定し得る。たとえば、小型セル基地局１１５は、いくつかのタイプのデータトラフィック（たとえば、呼データまたはストリーミングビデオコンテンツ）に高優先度を割り当てることを必要とされ得る。小型セル基地局１１５はまた、モバイルデバイス１２０に専用の量の帯域幅を提供すること、ならびに／または、リアルタイムコンテンツに関連付けられたデータストリームのためのレイテンシおよび／もしくはジッタを制御することを行うことを必要とされ得る。
【００７１】
[0082]ネットワークリッスン期間中に使用されるべき低減された送信電力が決定され得る（段階１０２０）。使用されるべき低減された送信電力は、距離、信号品質、およびサービス品質情報（ある場合）のうちの少なくとも１つに基づいて決定され得る。小型セル基地局１１５の電力制御モジュール４６８は、それにおいて小型セル基地局１１５の送信機４２６がネットワークリッスン期間中に動作させられ得る、低減された送信電力レベルを決定するように構成され得る。電力制御モジュール４６８は、小型セル基地局１１５の送信機４２６が異なる送信電力レベルで動作するように構成可能であるか否かを決定することと、送信機４２６の能力に基づいて、低減された送信電力レベルを決定することとを行うように構成され得る。たとえば、いくつかの小型セル基地局１１５の送信機４２６は、高送信電力モード、中送信電力モード、低送信電力モード、および送信機オフモードなど、いくつかのあらかじめ決定された送信電力レベルモードで動作するように構成可能であり得る。高送信電力モードにおいて動作するとき、送信機４２６は、最大送信電力レベルで動作するように構成される。中送信電力モードにおいて動作するとき、送信機は、最大電力レベル未満であるが、低送信電力レベルよりも大きい送信電力レベルで動作する。最後に、低送信電力モードにおいて動作するとき、送信機４２６は、０（送信機オフモード）よりも大きいが、送信機が中送信電力モードにおいて動作するときにそれにおいて動作するように構成される送信電力未満である、送信電力で動作するように構成され得る。他の実施形態では、送信機４２６は、より柔軟なスケールにおいて電力を調整するように構成され得る。
【００７２】
[0083]図１１は、本明細書で開示される技法を実装するために使用され得る、小型セル基地局１１５における送信をスケジュールするための例示的なプロセスの流れ図である。図１１に示されたプロセスは、小型セル基地局１１５の送信スケジューリングモジュール４７４によって実装され得る。図１１に示されたプロセスは、図６に示されたプロセスの段階６１０の少なくとも一部分を実装するために使用され得る。図１１に示されたプロセスは、ネットワークリッスンモジュール４６２からの信号に応答して実行されてよく、または、小型セル基地局１１５において自己誘導干渉を低減もしくは実質的に除去することが望ましいネットワークリッスン期間および／もしくは他の時間期間中に、小型セル基地局１１５による送信をスケジュールすることを回避するために自動的に、スケジューリングモジュール４６６によって自動的に実行されるようにスケジュールされてよい。
【００７３】
[0084]受信機４２７が近隣基地局１４０からの制御信号情報または他のデータをリッスンするように構成されるネットワークリッスン期間または他の期間にわたってスケジュールされた送信が、この期間の外側にわたって再スケジュールされ得るか否かの決定が行われ得る（段階１１０５）。小型セル基地局１１５による送信は、次いで、その送信が再スケジュールされ得る場合、制御信号が近隣基地局１４０から受信される期間の外側で発生するように再スケジュールされ得る（段階１１１０）。送信スケジューリングモジュール４７４は、自己誘導干渉を低減または実質的に除去する助けとなることが可能な場合、受信機４２７が近隣基地局１４０からの制御信号または他のデータをリッスン中であるネットワークリッスン期間および／または他のそのような期間中に、送信することを回避するように、小型セル基地局１１５に接続されたモバイルデバイス１２０へのダウンリンク送信をスケジュールするように構成され得る。周波数分離モジュール４６６はまた、自己誘導干渉を低減または実質的に除去する助けとなることが可能な場合は常に、受信機４２７が近隣基地局１４０からの制御信号または他のデータをリッスン中であるネットワークリッスン期間および／または他のそのような期間を回避するように、近隣基地局１４０へのアップリンク送信をスケジュールするように構成され得る。いくつかの状況では、ＱｏＳ要件または他のそのような制約のために、ネットワークリッスン期間または他のそのような期間を回避するように、スケジュールされた送信を再スケジュールすることが可能でないことがあり、それらの送信は、これらの要件を満たすようにスケジュールされることになる。
【００７４】
[0085]図１２は、そこからの制御信号をリッスンするための近隣基地局を選択するための例示的なプロセスの流れ図である。図１２に示されたプロセスは、小型セル基地局１１５のネットワークリッスンモジュール４６２によって実装され得る。ネットワークリッスンモジュール４６２は、小型セル基地局１１５の１つまたは複数の追加のモジュールまたは構成要素によって支援され得る。図１２に示されたプロセスは、小型セル基地局１１５が電源投入する時間に実施されてよく、小型セル基地局１１５がそこからの制御信号をリッスンすることになる近隣基地局を選択するために、図６に示されたプロセス前に実施されてよい。
【００７５】
[0086]このプロセスは、１つまたは複数の近隣基地局１４０からの制御信号を検出することから開始し得る（段階１２０５）。近隣基地局１４０は、小型セル基地局１１５が位置するカバレージエリアを有する、マクロセル基地局および／または他の小型セル基地局であり得る。
【００７６】
[0087]近隣基地局が、次いで、制御信号についてリッスンされるように選択され得る（段階１２１０）。ネットワークリッスンモジュール４６２は、１つまたは複数の近隣基地局から近隣基地局１４０を選択するように構成され得る。いくつかの実装形態では、ネットワークリッスンモジュール４６２は、近隣基地局ベースの１つまたは複数のランク付け基準をランク付けするように構成され得る。たとえば、ネットワークリッスンモジュール４６２は、次のランク付け基準のうちの１つまたは複数において、近隣基地局をランク付けするように構成されてよく、すなわち、（１）小型セル基地局１１５において近隣基地局から受信された信号の信号強度、（２）近隣基地局１４０および小型セル基地局１１５によって使用されたダウンリンク周波数の周波数分離、（３）小型セル基地局１１５において近隣基地局から受信された信号の信号品質、および（４）近隣基地局によって広告されたストレータムレベルである。ネットワークリッスンモジュール４６２は、上記で説明された例示的な基準に加えて、またはその代わりに、他の基準に基づいて、近隣基地局をランク付けするように構成されてよい。いくつかの実装形態では、小型セル基地局１１５に関連付けられたネットワークプロバイダは、ネットワークリッスンモジュール４６２が１つまたは複数の近隣基地局をランク付けするために使用することができる、ランク付け基準を提供することができる。いくつかの実装形態では、ネットワークプロバイダは、小型セル基地局１１５が展開されるより前に小型セル基地局１１５を構成してよく、ランク付け基準は、たとえば、小型セル基地局１１５のメモリ４６０に記憶されてよい。いくつかの実装形態では、ネットワークリッスンモジュール４６２は、ネットワークプロバイダからランク付け基準を要求すること、または、ネットワークプロバイダに関連付けられたネットワークエンティティからランク付け基準を取得することを行うように構成され得る。近隣基地局１４０をランク付けした後、ネットワークリッスンモジュール４６２は、そのランク付けに基づいて、ネットワークリッスンモジュール４６２が制御信号についてリッスンすることになる近隣基地局を選択するように構成され得る。
【００７７】
[0088]選択された近隣基地局からの制御信号が、次いで、小型セル基地局１１５のためにリッスンされ得る（段階１２１５）。ネットワークリッスンモジュール４６２は、選択された近隣基地局によって使用されたダウンリンク周波数を使用して、その近隣基地局からの制御信号をリッスンするように構成されてよく、選択された近隣基地局が制御信号を送信する、あらかじめ決定された間隔において、選択された近隣基地局からの制御信号をリッスンするように構成されてよい。ネットワークリッスンモジュール４６２は、制御信号を受信および復号し、限定はされないが、（ａ）ネイバーリストを構築すること、近隣セルとの物理セル識別情報（ＰＣＩ）衝突を回避するためのＰＣＩ選択など、自己組織化ネットワーク（ＳＯＮ）関係の適用例と、（ｂ）近隣基地局のセルグローバル識別情報（ＣＧＩ）を使用する、近似ロケーション決定と、（ｃ）時間および周波数同期と、（ｄ）干渉管理とを含む様々なアクションを実施するために、制御信号を使用することができる。この機能は、ネットワークリッスンモジュール４６２によって、および／または小型セル基地局１１５の他のモジュールによって実装されてよく、ネットワークリッスンモジュール４６２は、小型セル基地局１１５の他のモジュールおよび／または構成要素に、制御信号および／またはそこから導出された情報を提供するように構成され得る。
【００７８】
[0089]本明細書で説明された方法は、用途に応じて様々な手段によって実装され得る。たとえば、これらの方法は、ハードウェア、ファームウェア、ソフトウェア、またはそれらの任意の組合せで実装され得る。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明された機能を実施するように設計された他の電子ユニット、またはそれらの組合せの中で実装され得る。
【００７９】
[0090]ファームウェアおよび／またはソフトウェア実装については、方法は、本明細書で説明された機能を実施するモジュール（たとえば、手順、機能など）を用いて実装され得る。命令を有形に具現化する任意の機械可読媒体は、本明細書で説明された方法を実装する際に使用され得る。たとえば、ソフトウェアコードがメモリに記憶され、プロセッサユニットによって実行され得る。メモリは、プロセッサユニット内、またはプロセッサユニットの外部に実装され得る。本明細書で使用される「メモリ」という用語は、長期メモリ、短期メモリ、揮発性メモリ、不揮発性メモリ、または他のメモリのいずれかのタイプを指し、メモリの特定のタイプまたはメモリの数、あるいは媒体のタイプに限定されるべきではない。有形媒体は、ランダムアクセスメモリ、磁気ストレージ、光記憶媒体など、機械可読媒体の１つまたは複数の物理的物品を含む。
【００８０】
[0091]機能は、ファームウェアおよび／またはソフトウェアで実装される場合、１つまたは複数の命令またはコードとしてコンピュータ可読媒体上に記憶され得る。例としては、データ構造で符号化されたコンピュータ可読媒体、およびコンピュータプログラムで符号化されたコンピュータ可読媒体がある。コンピュータ可読媒体は物理的コンピュータ記憶媒体を含む。記憶媒体は、コンピュータによってアクセスされ得る任意の利用可能な媒体であり得る。限定ではなく、例として、そのようなコンピュータ可読媒体は、ＲＡＭ、ＲＯＭ、ＥＥＰＲＯＭ（登録商標）、ＣＤ−ＲＯＭもしくは他の光ディスク（disk）ストレージ、磁気ディスク（disk）ストレージもしくは他の磁気記憶デバイス、または、命令もしくはデータ構造の形態で所望のプログラムコードを記憶するために使用され得、コンピュータによってアクセスされ得る任意の他の媒体を備えてよく、本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、一方ディスク（disc）は、データをレーザーで光学的に再生する。上述の組合せもコンピュータ可読媒体の範囲内に含まれるべきである。そのような媒体はまた、機械可読であり得る非一時的媒体の例を与え、ここにおいて、コンピュータは、そのような非一時的媒体から読み取ることができる機械の一例である。
【００８１】
[0092]本明細書で説明された一般原理は、本開示または特許請求の範囲の趣旨または範囲から逸脱することなく、他の実装形態に適用され得る。
以下に、出願当初の特許請求の範囲に記載された発明を付記する。
［Ｃ１］
小型セル基地局において干渉を補償するための方法であって、
ワイヤレス通信ネットワークに関連付けられた近隣基地局からの制御信号を検出することと、前記制御信号が、あらかじめ決定された間隔で前記近隣基地局によって送信される、
制御信号が前記近隣基地局から受信され、前記小型セル基地局の送信機がデータを送信中である、前記あらかじめ決定された間隔中に、前記小型セル基地局の前記送信機が送信することによって引き起こされた自己誘導干渉を補償することとを備える方法。
［Ｃ２］
前記近隣基地局が、マクロセル基地局、ピコセル基地局、マイクロセル基地局、またはフェムトセル基地局を備える、Ｃ１に記載の方法。
［Ｃ３］
時間および周波数同期情報を、前記制御信号から導出することと、
前記時間および周波数同期情報に基づいて、前記時間および周波数同期情報に基づいて、前記小型セル基地局のタイミングと、前記小型セル基地局によって使用された周波数とを同期させることとをさらに備える、Ｃ１に記載の方法。
［Ｃ４］
前記近隣基地局が、前記小型セル基地局よりも正確な時間および周波数基準を有する基地局を備える、Ｃ２に記載の方法。
［Ｃ５］
前記小型セル基地局が、前記近隣基地局とは異なるダウンリンク周波数を使用して動作するように構成される、Ｃ１に記載の方法。
［Ｃ６］
複数の近隣基地局から信号を受信することと、
前記複数の近隣基地局から受信された前記信号に基づいて、前記複数の基地局から前記近隣基地局を選択することと、
前記選択された近隣基地局からの前記制御信号を検出することとをさらに備える、Ｃ１に記載の方法。
［Ｃ７］
前記複数の近隣基地局から受信された前記信号に基づいて、前記複数の基地局から前記近隣基地局を選択することが、１つまたは複数のランク付け基準に基づいて、前記近隣基地局をランク付けすることをさらに備える、Ｃ６に記載の方法。
［Ｃ８］
前記１つまたは複数のランク付け基準が、前記小型セル基地局において前記近隣基地局から受信された前記信号の信号強度と、前記近隣基地局および前記小型セル基地局によって使用されたダウンリンク周波数の周波数分離と、前記小型セル基地局において前記近隣基地局から受信された前記信号の信号品質と、前記近隣基地局によって広告されたストレータムレベルとのうちの少なくとも１つを備える、Ｃ７に記載の方法。
［Ｃ９］
前記小型セル基地局の前記送信機によって引き起こされた前記自己誘導干渉を補償することが、
前記小型セル基地局の前記送信機によって送信されるべきデータに関連付けられた信号を監視することと、
前記送信されるべきデータに関連付けられた前記信号に基づいて、受信機についての自己誘導干渉推定値を決定することと、
前記自己誘導干渉推定値に基づいて、前記自己誘導干渉を補償することとをさらに備える、Ｃ１に記載の方法。
［Ｃ１０］
前記自己誘導干渉推定値に基づいて、前記自己誘導干渉を補償することが、
前記受信機において前記自己誘導干渉を消去するために、前記自己誘導干渉推定値に基づいて、ベースバンド信号を生成することと、
前記小型セル基地局の受信機に、前記ベースバンド信号を与えることとをさらに備える、Ｃ９に記載の方法。
［Ｃ１１］
前記自己誘導干渉推定値に基づいて、前記自己誘導干渉を補償することが、
前記受信機において前記自己誘導干渉を消去するために、前記自己誘導干渉推定値に基づいて、無線周波数信号を生成することと、
前記小型セル基地局の受信機に、前記無線周波数信号を与えることとをさらに備える、Ｃ９に記載の方法。
［Ｃ１２］
前記小型セル基地局の前記送信機によって引き起こされた前記自己誘導干渉を補償することが、
前記小型セル基地局にアタッチされた少なくとも１つのモバイルデバイスを識別することと、
前記小型セル基地局にアタッチされた前記少なくとも１つのモバイルデバイスのいずれかが、前記小型セル基地局によって提供されたセルカバレージエリアのエッジの近くにあるか否かを決定することと、
前記小型セル基地局にアタッチされた前記少なくとも１つのモバイルデバイスのいずれもが、前記セルカバレージエリアの前記エッジの近くにない場合、制御信号がマクロセルから受信される期間中に、それにおいて前記小型セル基地局を動作させるべき低減された送信電力レベルを決定することとをさらに備える、Ｃ１に記載の方法。
［Ｃ１３］
制御信号が前記マクロセルから受信される前記期間中に、前記低減された電力レベルで前記小型セル基地局送信機を動作させることをさらに備える、Ｃ１２に記載の方法。
［Ｃ１４］
制御信号が前記マクロセルから受信される前記期間中に、それにおいて前記小型セル基地局を動作させるべき前記低減された送信電力レベルを決定することが、
前記小型セル基地局からの前記少なくとも１つのモバイルデバイスの相対的距離を決定することと、
前記少なくとも１つのモバイルデバイスとの間の通信リンクの信号品質を決定することと、
前記少なくとも１つのモバイルデバイスに関連付けられたサービス品質（ＱｏＳ）情報にアクセスすることと、
前記相対的距離、前記信号品質、および前記ＱｏＳ情報のうちの少なくとも１つに基づいて、それにおいて前記小型セル基地局を動作させるべき前記低減された送信電力レベルを決定することとをさらに備える、Ｃ１２に記載の方法。
［Ｃ１５］
前記小型セル基地局の前記送信機によって引き起こされた前記自己誘導干渉を補償することが、
前記制御信号がマクロセルから受信される期間にわたってスケジュールされた前記小型セル基地局による送信が、前記制御信号が前記マクロセルから受信される前記期間の外側で再スケジュールされ得るか否かを決定することと、
前記小型セル基地局による前記送信が再スケジュールされ得る場合、前記制御信号が前記マクロセルから受信される前記期間の外側で発生するように、前記送信を再スケジュールすることとをさらに備える、Ｃ１に記載の方法。
［Ｃ１６］
小型セル基地局において干渉を補償するための装置であって、
ワイヤレス通信ネットワークに関連付けられた近隣基地局からの制御信号を検出するための手段と、前記制御信号が、あらかじめ決定された間隔で前記近隣基地局によって送信される、
制御信号が前記近隣基地局から受信され、前記小型セル基地局の送信機がデータを送信中である、前記あらかじめ決定された間隔中に、前記小型セル基地局の前記送信機が送信することによって引き起こされた自己誘導干渉を補償するための手段とを備える装置。
［Ｃ１７］
前記近隣基地局が、マクロセル基地局、ピコセル基地局、マイクロセル基地局、またはフェムトセル基地局を備える、Ｃ１６に記載の装置。
［Ｃ１８］
時間および周波数同期情報を、前記制御信号から導出するための手段と、
前記時間および周波数同期情報に基づいて、前記時間および周波数同期情報に基づいて、前記小型セル基地局のタイミングと、前記小型セル基地局によって使用された周波数とを同期させるための手段とをさらに備える、Ｃ１６に記載の装置。
［Ｃ１９］
前記近隣基地局が、前記小型セル基地局よりも正確な時間および周波数基準を有する基地局を備える、Ｃ１８に記載の装置。
［Ｃ２０］
前記小型セル基地局が、前記近隣基地局とは異なるダウンリンク周波数を使用して動作するように構成される、Ｃ１６に記載の装置。
［Ｃ２１］
複数の近隣基地局から信号を受信するための手段と、
前記複数の近隣基地局から受信された前記信号に基づいて、前記複数の基地局から前記近隣基地局を選択するための手段と、
前記選択された近隣基地局からの前記制御信号を検出するための手段とをさらに備える、Ｃ１６に記載の装置。
［Ｃ２２］
前記複数の近隣基地局から受信された前記信号に基づいて、前記複数の基地局から前記近隣基地局を選択するための前記手段が、１つまたは複数のランク付け基準に基づいて、前記近隣基地局をランク付けするための手段をさらに備える、Ｃ２１に記載の装置。
［Ｃ２３］
前記１つまたは複数のランク付け基準が、前記小型セル基地局において前記近隣基地局から受信された前記信号の信号強度と、前記近隣基地局および前記小型セル基地局によって使用されたダウンリンク周波数の周波数分離と、前記小型セル基地局において前記近隣基地局から受信された前記信号の信号品質と、前記近隣基地局によって広告されたストレータムレベルとのうちの少なくとも１つを備える、Ｃ２２に記載の装置。
［Ｃ２４］
前記小型セル基地局の前記送信機によって引き起こされた前記自己誘導干渉を補償するための前記手段が、
前記小型セル基地局の前記送信機によって送信されるべきデータに関連付けられた信号を監視するための手段と、
前記送信されるべきデータに関連付けられた前記信号に基づいて、受信機についての自己誘導干渉推定値を決定するための手段と、
前記自己誘導干渉推定値に基づいて、前記自己誘導干渉を補償するための手段とをさらに備える、Ｃ１６に記載の装置。
［Ｃ２５］
前記自己誘導干渉推定値に基づいて、前記自己誘導干渉を補償するための前記手段が、
前記受信機において前記自己誘導干渉を消去するために、前記自己誘導干渉推定値に基づいて、ベースバンド信号を生成するための手段と、
前記小型セル基地局の受信機に、前記ベースバンド信号を与えるための手段とをさらに備える、Ｃ２４に記載の装置。
［Ｃ２６］
前記自己誘導干渉推定値に基づいて、前記自己誘導干渉を補償するための前記手段が、
前記受信機において前記自己誘導干渉を消去するために、前記自己誘導干渉推定値に基づいて、無線周波数信号を生成するための手段と、
前記小型セル基地局の受信機に、前記無線周波数信号を与えるための手段とをさらに備える、Ｃ２４に記載の装置。
［Ｃ２７］
補償するための前記手段が、
前記小型セル基地局にアタッチされた少なくとも１つのモバイルデバイスを識別するための手段と、
前記小型セル基地局にアタッチされた前記少なくとも１つのモバイルデバイスのいずれかが、前記小型セル基地局によって提供されたセルカバレージエリアのエッジの近くにあるか否かを決定するための手段と、
前記小型セル基地局にアタッチされた前記少なくとも１つのモバイルデバイスのいずれもが、前記セルカバレージエリアの前記エッジの近くにない場合、制御信号がマクロセルから受信される期間中に、それにおいて前記小型セル基地局を動作させるべき低減された送信電力レベルを決定するための手段とをさらに備える、Ｃ１６に記載の装置。
［Ｃ２８］
補償するための前記手段が、
制御信号が前記マクロセルから受信される前記期間中に、前記低減された電力レベルで前記小型セル基地局送信機を動作させるための手段をさらに備える、Ｃ２７に記載の装置。
［Ｃ２９］
前記低減された送信電力レベルを決定するための前記手段が、
前記小型セル基地局からの前記少なくとも１つのモバイルデバイスの相対的距離を決定するための手段と、
前記少なくとも１つのモバイルデバイスとの間の通信リンクの信号品質を決定するための手段と、
前記少なくとも１つのモバイルデバイスに関連付けられたサービス品質（ＱｏＳ）情報にアクセスするための手段と、
前記相対的距離、前記信号品質、および前記ＱｏＳ情報のうちの少なくとも１つに基づいて、それにおいて前記小型セル基地局を動作させるべき前記低減された送信電力レベルを決定するための手段とをさらに備える、Ｃ２７に記載の装置。
［Ｃ３０］
前記小型セル基地局の前記送信機によって引き起こされた前記自己誘導干渉を補償するための前記手段が、
前記制御信号がマクロセルから受信される期間にわたってスケジュールされた前記小型セル基地局による送信が、前記制御信号が前記マクロセルから受信される前記期間の外側で再スケジュールされ得るか否かを決定するための手段と、
前記小型セル基地局による前記送信が再スケジュールされ得る場合、前記制御信号が前記マクロセルから受信される前記期間の外側で発生するように、前記送信を再スケジュールするための手段とをさらに備える、Ｃ１６に記載の装置。
［Ｃ３１］
小型セル基地局において干渉を補償するためのコンピュータ可読命令を記憶した非一時的コンピュータ可読媒体であって、
ワイヤレス通信ネットワークに関連付けられた近隣基地局からの制御信号を検出することと、前記制御信号が、あらかじめ決定された間隔で前記近隣基地局によって送信される、
制御信号が前記近隣基地局から受信され、前記小型セル基地局の送信機がデータを送信中である、前記あらかじめ決定された間隔中に、前記小型セル基地局の前記送信機が送信することによって引き起こされた自己誘導干渉を補償することとをコンピュータに行わせるように構成された命令を備える非一時的コンピュータ可読媒体。
［Ｃ３２］
前記近隣基地局が、マクロセル基地局、ピコセル基地局、マイクロセル基地局、またはフェムトセル基地局を備える、Ｃ３１に記載の非一時的コンピュータ可読媒体。
［Ｃ３３］
時間および周波数同期情報を、前記制御信号から導出することと、
前記時間および周波数同期情報に基づいて、前記時間および周波数同期情報に基づいて、前記小型セル基地局のタイミングと、前記小型セル基地局によって使用された周波数とを同期させることとを前記コンピュータに行わせるように構成された命令をさらに備える、Ｃ３１に記載の非一時的コンピュータ可読媒体。
［Ｃ３４］
前記近隣基地局が、前記小型セル基地局よりも正確な時間および周波数基準を有する基地局を備える、Ｃ３３に記載の非一時的コンピュータ可読媒体。
［Ｃ３５］
前記小型セル基地局が、前記近隣基地局とは異なるダウンリンク周波数を使用して動作するように構成される、Ｃ３１に記載の非一時的コンピュータ可読媒体。
［Ｃ３６］
複数の近隣基地局から信号を受信することと、
前記複数の近隣基地局から受信された前記信号に基づいて、前記複数の基地局から前記近隣基地局を選択することと、
前記選択された近隣基地局からの前記制御信号を検出することとを前記コンピュータに行わせるように構成された命令をさらに備える、Ｃ３１に記載の非一時的コンピュータ可読媒体。
［Ｃ３７］
前記複数の近隣基地局から受信された前記信号に基づいて、前記複数の基地局から前記近隣基地局を選択することを、前記コンピュータに行わせるように構成された前記命令が、１つまたは複数のランク付け基準に基づいて、前記近隣基地局をランク付けすることを、前記コンピュータに行わせるように構成された命令をさらに備える、Ｃ３６に記載の非一時的コンピュータ可読媒体。
［Ｃ３８］
前記１つまたは複数のランク付け基準が、前記小型セル基地局において前記近隣基地局から受信された前記信号の信号強度と、前記近隣基地局および前記小型セル基地局によって使用されたダウンリンク周波数の周波数分離と、前記小型セル基地局において前記近隣基地局から受信された前記信号の信号品質と、前記近隣基地局によって広告されたストレータムレベルとのうちの少なくとも１つを備える、Ｃ３７に記載の非一時的コンピュータ可読媒体。
［Ｃ３９］
前記自己誘導干渉を補償することを、前記コンピュータに行わせるように構成された前記命令が、
前記小型セル基地局の前記送信機によって送信されるべきデータに関連付けられた信号を監視することと、
前記送信されるべきデータに関連付けられた前記信号に基づいて、受信機についての自己誘導干渉推定値を決定することと、
前記自己誘導干渉推定値に基づいて、前記自己誘導干渉を補償することとを前記コンピュータに行わせるように構成された命令をさらに備える、Ｃ３１に記載の非一時的コンピュータ可読媒体。
［Ｃ４０］
前記自己誘導干渉推定値に基づいて、前記自己誘導干渉を補償することを、前記コンピュータに行わせるように構成された前記命令が、
前記受信機において前記自己誘導干渉を消去するために、前記自己誘導干渉推定値に基づいて、ベースバンド信号を生成することと、
前記小型セル基地局の受信機に、前記ベースバンド信号を与えることとを前記コンピュータに行わせるように構成された命令をさらに備える、Ｃ３９に記載の非一時的コンピュータ可読媒体。
［Ｃ４１］
前記自己誘導干渉推定値に基づいて、前記自己誘導干渉を補償することを、前記コンピュータに行わせるように構成された前記命令が、
前記受信機において前記自己誘導干渉を消去するために、前記自己誘導干渉推定値に基づいて、無線周波数信号を生成することと、
前記小型セル基地局の受信機に、前記無線周波数信号を与えることとを前記コンピュータに行わせるように構成された命令をさらに備える、Ｃ３９に記載の非一時的コンピュータ可読媒体。
［Ｃ４２］
前記自己誘導干渉を補償することを、前記コンピュータに行わせるように構成された前記命令が、
前記小型セル基地局にアタッチされた少なくとも１つのモバイルデバイスを識別することと、
前記小型セル基地局にアタッチされた前記少なくとも１つのモバイルデバイスのいずれかが、前記小型セル基地局によって提供されたセルカバレージエリアのエッジの近くにあるか否かを決定することと、
前記小型セル基地局にアタッチされた前記少なくとも１つのモバイルデバイスのいずれもが、前記セルカバレージエリアの前記エッジの近くにない場合、制御信号がマクロセルから受信される期間中に、それにおいて前記小型セル基地局を動作させるべき低減された送信電力レベルを決定することとを前記コンピュータに行わせるように構成された命令をさらに備える、Ｃ３１に記載の非一時的コンピュータ可読媒体。
［Ｃ４３］
制御信号が前記マクロセルから受信される前記期間中に、前記低減された電力レベルで前記小型セル基地局送信機を動作させることを前記コンピュータに行わせるように構成された命令をさらに備える、Ｃ４２に記載の非一時的コンピュータ可読媒体。
［Ｃ４４］
前記低減された送信電力レベルを決定することを、前記コンピュータに行わせるように構成された前記命令が、
前記小型セル基地局からの前記少なくとも１つのモバイルデバイスの相対的距離を決定することと、
前記少なくとも１つのモバイルデバイスとの間の通信リンクの信号品質を決定することと、
前記少なくとも１つのモバイルデバイスに関連付けられたサービス品質（ＱｏＳ）情報にアクセスすることと、
前記相対的距離、前記信号品質、および前記ＱｏＳ情報のうちの少なくとも１つに基づいて、それにおいて前記小型セル基地局を動作させるべき前記低減された送信電力レベルを決定することとを前記コンピュータに行わせるように構成された命令をさらに備える、Ｃ４２に記載の非一時的コンピュータ可読媒体。
［Ｃ４５］
前記小型セル基地局の前記送信機によって引き起こされた前記自己誘導干渉を補償することを、前記コンピュータに行わせるように構成された前記命令が、
前記制御信号がマクロセルから受信される期間にわたってスケジュールされた前記小型セル基地局による送信が、前記制御信号が前記マクロセルから受信される前記期間の外側で再スケジュールされ得るか否かを決定することと、
前記小型セル基地局による前記送信が再スケジュールされ得る場合、前記制御信号が前記マクロセルから受信される前記期間の外側で発生するように、前記送信を再スケジュールすることとを前記コンピュータに行わせるように構成された命令をさらに備える、Ｃ３１に記載の非一時的コンピュータ可読媒体。
［Ｃ４６］
小型セル基地局において干渉を補償するための装置であって、
有形の非一時的コンピュータ可読メモリと、
前記メモリに記憶されたプロセッサ実行可能コードを備える複数のモジュールと、
前記メモリに接続され、前記メモリに記憶された前記複数のモジュールにアクセスするように構成されるプロセッサと、
ワイヤレス通信ネットワークに関連付けられた近隣基地局からの制御信号を検出することと、前記制御信号が、あらかじめ決定された間隔で前記近隣基地局によって送信される、
制御信号が前記近隣基地局から受信され、前記小型セル基地局の送信機がデータを送信中である、前記あらかじめ決定された間隔中に、前記小型セル基地局の前記送信機が送信することによって引き起こされた自己誘導干渉を補償することと
を行うように構成されたネットワークリッスンモジュールとを備える装置。
［Ｃ４７］
前記近隣基地局が、マクロセル基地局、ピコセル基地局、マイクロセル基地局、またはフェムトセル基地局を備える、Ｃ４６に記載の装置。
［Ｃ４８］
前記ネットワークリッスンモジュールが、
時間および周波数同期情報を、前記制御信号から導出することと、
前記時間および周波数同期情報に基づいて、前記時間および周波数同期情報に基づいて、前記小型セル基地局のタイミングと、前記小型セル基地局によって使用された周波数とを同期させることとを行うように構成される、Ｃ４６に記載の装置。
［Ｃ４９］
前記近隣基地局が、前記小型セル基地局よりも正確な時間および周波数基準を有する基地局を備える、Ｃ４８に記載の装置。
［Ｃ５０］
前記小型セル基地局が、前記近隣基地局とは異なるダウンリンク周波数を使用して動作するように構成される、Ｃ４６に記載の装置。
［Ｃ５１］
前記ネットワークリッスンモジュールが、
複数の近隣基地局から信号を受信することと、
前記複数の近隣基地局から受信された前記信号に基づいて、前記複数の基地局から前記近隣基地局を選択することと、
前記選択された近隣基地局からの前記制御信号を検出することとを行うように構成される、Ｃ４６に記載の装置。
［Ｃ５２］
前記複数の近隣基地局から受信された前記信号に基づいて、前記複数の基地局から前記近隣基地局を選択することを行うように構成される、前記ネットワークリッスンモジュールが、１つまたは複数のランク付け基準に基づいて、前記近隣基地局をランク付けすることを行うようにさらに構成される、Ｃ５１に記載の装置。
［Ｃ５３］
前記１つまたは複数のランク付け基準が、前記小型セル基地局において前記近隣基地局から受信された前記信号の信号強度と、前記近隣基地局および前記小型セル基地局によって使用されたダウンリンク周波数の周波数分離と、前記小型セル基地局において前記近隣基地局から受信された前記信号の信号品質と、前記近隣基地局によって広告されたストレータムレベルとのうちの少なくとも１つを備える、Ｃ５２に記載の装置。
［Ｃ５４］
前記小型セル基地局の前記送信機によって送信されるべきデータに関連付けられた信号を監視することと、
前記送信されるべきデータに関連付けられた前記信号に基づいて、受信機についての自己誘導干渉推定値を決定することと、
前記自己誘導干渉推定値に基づいて、前記自己誘導干渉を補償することとを行うように構成された干渉補償モジュールをさらに備える、Ｃ４６に記載の装置。
［Ｃ５５］
前記自己誘導干渉推定値に基づいて、前記自己誘導干渉を補償することを行うように構成される、前記干渉補償モジュールが、
前記受信機において前記自己誘導干渉を消去するために、前記自己誘導干渉推定値に基づいて、ベースバンド信号を生成することと、
前記小型セル基地局の受信機に、前記ベースバンド信号を与えることとを行うように構成される、Ｃ５４に記載の装置。
［Ｃ５６］
前記自己誘導干渉推定値に基づいて、前記自己誘導干渉を補償することを行うように構成される、前記干渉補償モジュールが、
前記受信機において前記自己誘導干渉を消去するために、前記自己誘導干渉推定値に基づいて、無線周波数信号を生成することと、
前記小型セル基地局の受信機に、前記無線周波数信号を与えることとをコンピュータに行わせるように構成された命令をさらに備える、Ｃ５４に記載の装置。
［Ｃ５７］
前記小型セル基地局にアタッチされた少なくとも１つのモバイルデバイスを識別することと、
前記小型セル基地局にアタッチされた前記少なくとも１つのモバイルデバイスのいずれかが、前記小型セル基地局によって提供されたセルカバレージエリアのエッジの近くにあるか否かを決定することと、
前記小型セル基地局にアタッチされた前記少なくとも１つのモバイルデバイスのいずれもが、前記セルカバレージエリアの前記エッジの近くにない場合、制御信号がマクロセルから受信される期間中に、それにおいて前記小型セル基地局を動作させるべき低減された送信電力レベルを決定することとを行うように構成された電力制御モジュールをさらに備える、Ｃ４６に記載の装置。
［Ｃ５８］
電力制御モジュールが、
制御信号がマクロセルから受信される期間中に、前記低減された電力レベルで前記小型セル基地局送信機を動作させることを行うようにさらに構成される、Ｃ５４に記載の装置。
［Ｃ５９］
前記低減された送信電力レベルを決定することを行うように構成される、電力制御モジュールが、
前記小型セル基地局からの前記少なくとも１つのモバイルデバイスの相対的距離を決定することと、
前記少なくとも１つのモバイルデバイスとの間の通信リンクの信号品質を決定することと、
前記少なくとも１つのモバイルデバイスに関連付けられたサービス品質（ＱｏＳ）情報にアクセスすることと、
前記相対的距離、前記信号品質、および前記ＱｏＳ情報のうちの少なくとも１つに基づいて、それにおいて前記小型セル基地局を動作させるべき前記低減された送信電力レベルを決定することとを行うようにさらに構成される、Ｃ５４に記載の装置。
［Ｃ６０］
前記制御信号がマクロセルから受信される期間にわたってスケジュールされた前記小型セル基地局による送信が、前記制御信号が前記マクロセルから受信される前記期間の外側で再スケジュールされ得るか否かを決定することと、
前記小型セル基地局による前記送信が再スケジュールされ得る場合、前記制御信号が前記マクロセルから受信される前記期間の外側で発生するように、前記送信を再スケジュールすることとを行うように構成されたスケジューリングモジュールを備える、Ｃ４６に記載の装置。
【図１】
0006522613.tif 000002
【図２】
0006522613.tif 000003
【図３】
0006522613.tif 000004
【図４】
0006522613.tif 000005
【図５】
0006522613.tif 000006
【図６】
0006522613.tif 000007
【図７】
0006522613.tif 000008
【図８】
0006522613.tif 000009
【図９】
0006522613.tif 000010
【図１０】
0006522613.tif 000011
【図１１】
0006522613.tif 000012
【図１２】
0006522613.tif 000013